(57)【要約】      （修正有）【課題】耐光性に優れた染色物を得ることができる着色組成物、布帛を捺染する方法、及び、染色された布帛の提供。【解決手段】特定のトリアリールメタン化合物の使用。【選択図】なし【特許請求の範囲】
【請求項１】
下記式（１）で表される化合物を含有する着色組成物；
【化１】
2020158604.tif 000016
式（１）中、Ｒ101及びＲ102は各々独立に水素原子、置換若しくは無置換のアルキル基、置換若しくは無置換のアリール基、又は、置換若しくは無置換のヘテロ環基を表す；
Ｒ111〜Ｒ132は各々独立に水素原子又は置換基を表し、Ｒ122とＲ126は互いに結合して環を形成してもよい；ただし、Ｒ111及びＲ115の少なくとも一方は置換基を表し、Ｒ116及びＲ120の少なくとも一方は置換基を表す；
Ｚ1は、−ＳＯ3-、−ＳＯ2−ＮＲｚ1Ｒｚ2、又は、−ＳＯ2−Ｌｚ1−Ｒｚ3を表し、
Ｒｚ1及びＲｚ2は各々独立に置換若しくは無置換のアルキル基、置換若しくは無置換のアリール基、又は、置換若しくは無置換のヘテロ環基を表し、Ｒｚ1とＲｚ2は互いに結合して環を形成してもよく、
Ｒｚ3は水素原子、置換若しくは無置換のアルキル基、置換若しくは無置換のアリール基、又は置換若しくは無置換のヘテロ環基を表し、
Ｌｚ1は、カルボニル基又はスルホニル基を表す；
ただし、Ｚ1が−ＳＯ3-の場合、Ｒ111〜Ｒ120及びＲ129〜Ｒ132の少なくとも１つはフッ素原子を含有する基であり、かつ、Ｒ111〜Ｒ120及びＲ129〜Ｒ132に含まれるフッ素原子の総和は５以上であり、
Ｚ1が−ＳＯ2−ＮＲｚ1Ｒｚ2の場合、Ｒ111〜Ｒ120、Ｒ129〜Ｒ132、Ｒｚ1及びＲｚ2の少なくとも１つはフッ素原子を含有する基であり、Ｒ111〜Ｒ132の少なくとも１つは−ＳＯ3-を含有する基であり、かつ、Ｒ111〜Ｒ120、Ｒ129〜Ｒ132、Ｒｚ1及びＲｚ2に含まれるフッ素原子の総和は５以上であり、
Ｚ1が−ＳＯ2−Ｌｚ1−Ｒｚ3の場合、Ｒ111〜Ｒ120、Ｒ129〜Ｒ132及びＲｚ3の少なくとも１つはフッ素原子を含有する基であり、Ｒ111〜Ｒ132の少なくとも１つは−ＳＯ3-を含有する基であり、かつ、Ｒ111〜Ｒ120、Ｒ129〜Ｒ132及びＲｚ3に含まれるフッ素原子の総和は５以上である。
【請求項２】
式（１）のＲ111、Ｒ113、Ｒ115、Ｒ116、Ｒ118、及びＲ120は各々独立に水素原子、置換若しくは無置換のアルキル基、置換若しくは無置換のアリール基、又は置換若しくは無置換のヘテロ環基を表し、かつ、Ｒ111及びＲ115の少なくとも一方、並びに、Ｒ116及びＲ120の少なくとも一方は、置換若しくは無置換のアルキル基、置換若しくは無置換のアリール基、又は、置換若しくは無置換のヘテロ環基を表す、請求項１に記載の着色組成物。
【請求項３】
式（１）のＲ111、Ｒ113、Ｒ115、Ｒ116、Ｒ118、及びＲ120は各々独立に水素原子、又は、置換若しくは無置換のアルキル基を表し、かつ、Ｒ111及びＲ115の少なくとも一方、並びに、Ｒ116及びＲ120の少なくとも一方は、置換若しくは無置換のアルキル基を表す、請求項２に記載の着色組成物。
【請求項４】
式（１）のＲ111、Ｒ115、Ｒ116及びＲ120は各々独立に置換若しくは無置換のアルキル基を表す、請求項１〜３のいずれか１項に記載の着色組成物。
【請求項５】
式（１）のＲ111、Ｒ113及びＲ115の基に含まれる炭素数の合計、並びに、Ｒ116、Ｒ118及びＲ120の基に含まれる炭素数の合計の少なくとも一方は３以上である、請求項３又は４に記載の着色組成物。
【請求項６】
式（１）のＲ121〜Ｒ128の少なくとも１つが、置換若しくは無置換のアルキル基、又は、置換若しくは無置換のアリール基を表す、請求項１〜５のいずれか１項に記載の着色組成物。
【請求項７】
式（１）のＲ121〜Ｒ124の基に含まれる炭素数の合計、及び、Ｒ125〜Ｒ128の基に含まれる炭素数の合計の少なくとも一方は３以上である、請求項６に記載の着色組成物。
【請求項８】
式（１）のＺ1が−ＳＯ3-の場合、Ｒ111〜Ｒ120及びＲ129〜Ｒ132に含まれるフッ素原子の総和は１０以上であり、
式（１）のＺ1が−ＳＯ2−ＮＲｚ1Ｒｚ2の場合、Ｒ111〜Ｒ120、Ｒ129〜Ｒ132、Ｒｚ1及びＲｚ2に含まれるフッ素原子の総和は１０以上であり、
式（１）のＺ1が−ＳＯ2−Ｌｚ1−Ｒｚ3の場合、Ｒ111〜Ｒ120、Ｒ129〜Ｒ132及びＲｚ3に含まれるフッ素原子の総和は１０以上である、請求項１〜７のいずれか１項に記載の着色組成物。
【請求項９】
式（１）のＺ1が−ＳＯ2−ＮＲｚ1Ｒｚ2であり、かつ、Ｒｚ1及びＲｚ2の少なくとも一方が、２級アルキル基若しくは３級アルキル基であるか、又は、Ｒｚ1とＲｚ2は互いに結合して環を形成している、請求項１〜８のいずれか１項に記載の着色組成物。
【請求項１０】
染色用の着色組成物である、請求項１〜９のいずれか１項に記載の着色組成物。
【請求項１１】
インクジェット用インクである、請求項１〜１０のいずれか１項に記載の着色組成物。
【請求項１２】
請求項１〜１１のいずれか１項に記載の着色組成物を用いて、インクジェット法により布帛を捺染する方法。
【請求項１３】
請求項１〜１１のいずれか１項に記載の着色組成物によって染色された布帛。
【発明の詳細な説明】
【技術分野】
【０００１】
本発明は、着色組成物に関する。より詳しくは、トリアリールメタン化合物を含む着色組成物に関する。また、本発明は、布帛を捺染する方法、及び、染色された布帛に関する。
【背景技術】
【０００２】
従来より、布帛を染色するための染料として、酸性染料、反応染料、直接染料、分散染料等が使用されている。例えば、綿又はビスコースレーヨンなどセルロース繊維を染色する染料としては、反応染料、直接染料、硫化染料、建染染料、ナフトール染料などが知られており、絹、羊毛、ナイロンなどのポリアミド繊維を染色する染料としては、酸性染料、金属錯塩酸性染料、酸性媒染染料、直接染料などが知られている。ポリエステル繊維、セルロースエステル繊維などのエステル繊維の染色には分散染料又は顔料が用いられることが知られている。また、アクリル繊維は一般にカチオン染料で染色するが、酸性染料で染まる繊維もある。染料としては様々な色の染料を用いることができるが、シアン色の染料としてはトリアリールメタン染料が広く使用されている。
【０００３】
また、従来より、カラーインデックス（Ｃ．Ｉ．）Ａｃｉｄ  Ｂｌｕｅ  ９として知られるトリアリールメタン染料を用いて布帛を染色することも行われている。
【０００４】
また、特許文献１には、所定の構造のトリアリールメタン化合物を含む着色組成物を用いてインクジェット捺染などの方法で布帛を染色することが記載されている。
【０００５】
一方で、トリアリールメタン化合物は、表示装置におけるカラーフィルタの形成などにも用いられている。特許文献２には、アリール基を窒素原子上の置換基として有する所定の構造のトリアリールメタン化合物を含む着色硬化性組成物を用いてカラーフィルタを製造することが記載されている。
【先行技術文献】
【特許文献】
【０００６】
【特許文献１】国際公開第２０１６／００２９３９号
【特許文献２】特開２０１５−０８３６５２号公報
【発明の概要】
【発明が解決しようとする課題】
【０００７】
近年、着色組成物を用いて布帛などの被染物を染色して得られた染色物に関し、耐光性の更なる向上が求められている。本発明者の検討によれば、Ｃ．Ｉ．Ａｃｉｄ  Ｂｌｕｅ  ９などの従来より知られているトリアリールメタン染料を含む着色組成物を用いて染色された布帛などの染色物は、耐光性について更なる改善の余地があることが分かった。
【０００８】
なお、特許文献２は、液晶表示装置などに用いられるカラーフィルタに関する発明であって、布帛等を染色する用途に着色組成物を用いることについての記載や検討はされていない。
【０００９】
よって、本発明の目的は、耐光性に優れた染色物を得ることができる着色組成物を提供することにある。また、本発明の目的は、布帛を捺染する方法、及び、染色された布帛を提供することにある。
【課題を解決するための手段】
【００１０】
かかる状況のもと、本発明者らが鋭意検討を行った結果、後述する式（１）で表される化合物を用いることで、上記目的を達成できることを見出し、本発明を完成するに至った。本発明は以下を提供する。
＜１＞  下記式（１）で表される化合物を含有する着色組成物；
【化１】
2020158604.tif 000002
式（１）中、Ｒ101及びＲ102は各々独立に水素原子、置換若しくは無置換のアルキル基、置換若しくは無置換のアリール基、又は、置換若しくは無置換のヘテロ環基を表す；
Ｒ111〜Ｒ132は各々独立に水素原子又は置換基を表し、Ｒ122とＲ126は互いに結合して環を形成してもよい；ただし、Ｒ111及びＲ115の少なくとも一方は置換基を表し、Ｒ116及びＲ120の少なくとも一方は置換基を表す；
Ｚ1は、−ＳＯ3-、−ＳＯ2−ＮＲｚ1Ｒｚ2、又は、−ＳＯ2−Ｌｚ1−Ｒｚ3を表し、
Ｒｚ1及びＲｚ2は各々独立に置換若しくは無置換のアルキル基、置換若しくは無置換のアリール基、又は、置換若しくは無置換のヘテロ環基を表し、Ｒｚ1とＲｚ2は互いに結合して環を形成してもよく、
Ｒｚ3は水素原子、置換若しくは無置換のアルキル基、置換若しくは無置換のアリール基、又は置換若しくは無置換のヘテロ環基を表し、
Ｌｚ1は、カルボニル基又はスルホニル基を表す；
ただし、Ｚ1が−ＳＯ3-の場合、Ｒ111〜Ｒ120及びＲ129〜Ｒ132の少なくとも１つはフッ素原子を含有する基であり、かつ、Ｒ111〜Ｒ120及びＲ129〜Ｒ132に含まれるフッ素原子の総和は５以上であり、
Ｚ1が−ＳＯ2−ＮＲｚ1Ｒｚ2の場合、Ｒ111〜Ｒ120、Ｒ129〜Ｒ132、Ｒｚ1及びＲｚ2の少なくとも１つはフッ素原子を含有する基であり、Ｒ111〜Ｒ132の少なくとも１つは−ＳＯ3-を含有する基であり、かつ、Ｒ111〜Ｒ120、Ｒ129〜Ｒ132、Ｒｚ1及びＲｚ2に含まれるフッ素原子の総和は５以上であり、
Ｚ1が−ＳＯ2−Ｌｚ1−Ｒｚ3の場合、Ｒ111〜Ｒ120、Ｒ129〜Ｒ132及びＲｚ3の少なくとも１つはフッ素原子を含有する基であり、Ｒ111〜Ｒ132の少なくとも１つは−ＳＯ3-を含有する基であり、かつ、Ｒ111〜Ｒ120、Ｒ129〜Ｒ132及びＲｚ3に含まれるフッ素原子の総和は５以上である。
＜２＞  式（１）のＲ111、Ｒ113、Ｒ115、Ｒ116、Ｒ118、及びＲ120は各々独立に水素原子、置換若しくは無置換のアルキル基、置換若しくは無置換のアリール基、又は置換若しくは無置換のヘテロ環基を表し、かつ、Ｒ111及びＲ115の少なくとも一方、並びに、Ｒ116及びＲ120の少なくとも一方は、置換若しくは無置換のアルキル基、置換若しくは無置換のアリール基、又は、置換若しくは無置換のヘテロ環基を表す、＜１＞に記載の着色組成物。
＜３＞  式（１）のＲ111、Ｒ113、Ｒ115、Ｒ116、Ｒ118、及びＲ120は各々独立に水素原子、又は、置換若しくは無置換のアルキル基を表し、かつ、Ｒ111及びＲ115の少なくとも一方、並びに、Ｒ116及びＲ120の少なくとも一方は、置換若しくは無置換のアルキル基を表す、＜２＞に記載の着色組成物。
＜４＞  式（１）のＲ111、Ｒ115、Ｒ116及びＲ120は各々独立に置換若しくは無置換のアルキル基を表す、＜１＞〜＜３＞のいずれか１つに記載の着色組成物。
＜５＞  式（１）のＲ111、Ｒ113及びＲ115の基に含まれる炭素数の合計、並びに、Ｒ116、Ｒ118及びＲ120の基に含まれる炭素数の合計の少なくとも一方は３以上である、＜３＞又は＜４＞に記載の着色組成物。
＜６＞  式（１）のＲ121〜Ｒ128の少なくとも１つが、置換若しくは無置換のアルキル基、又は、置換若しくは無置換のアリール基を表す、＜１＞〜＜５＞のいずれか１つに記載の着色組成物。
＜７＞  式（１）のＲ121〜Ｒ124の基に含まれる炭素数の合計、及び、Ｒ125〜Ｒ128の基に含まれる炭素数の合計の少なくとも一方は３以上である、＜６＞に記載の着色組成物。
＜８＞  式（１）のＺ1が−ＳＯ3-の場合、Ｒ111〜Ｒ120及びＲ129〜Ｒ132に含まれるフッ素原子の総和は１０以上であり、
式（１）のＺ1が−ＳＯ2−ＮＲｚ1Ｒｚ2の場合、Ｒ111〜Ｒ120、Ｒ129〜Ｒ132、Ｒｚ1及びＲｚ2に含まれるフッ素原子の総和は１０以上であり、
式（１）のＺ1が−ＳＯ2−Ｌｚ1−Ｒｚ3の場合、Ｒ111〜Ｒ120、Ｒ129〜Ｒ132及びＲｚ3に含まれるフッ素原子の総和は１０以上である、＜１＞〜＜７＞のいずれか１つに記載の着色組成物。
＜９＞  式（１）のＺ1が−ＳＯ2−ＮＲｚ1Ｒｚ2であり、かつ、Ｒｚ1及びＲｚ2の少なくとも一方が、２級アルキル基若しくは３級アルキル基であるか、又は、Ｒｚ1とＲｚ2は互いに結合して環を形成している、＜１＞〜＜８＞のいずれか１つに記載の着色組成物。
＜１０＞  染色用の着色組成物である、＜１＞〜＜９＞のいずれか１つに記載の着色組成物。
＜１１＞  インクジェット用インクである、＜１＞〜＜１０＞のいずれか１つに記載の着色組成物。
＜１２＞  ＜１＞〜＜１１＞のいずれか１つに記載の着色組成物を用いて、インクジェット法により布帛を捺染する方法。
＜１３＞  ＜１＞〜＜１１＞のいずれか１つに記載の着色組成物によって染色された布帛。
【発明の効果】
【００１１】
本発明によれば、耐光性に優れた染色物を得ることができる着色組成物を提供することができる。また、本発明は、布帛を捺染する方法、及び、染色された布帛を提供することができる。
【発明を実施するための形態】
【００１２】
以下において、本発明の内容について詳細に説明する。尚、本明細書において「〜」とはその前後に記載される数値を下限値及び上限値として含む意味で使用される。
【００１３】
＜着色組成物＞
本発明の着色組成物は、式（１）で表される化合物（以下、トリアリールメタン化合物（１）ともいう）を含む。本発明の着色組成物を用いて布帛などを染色することで、耐光性に優れた染色物を得ることができる。詳細な理由は不明であるが、トリアリールメタン化合物（１）は、式（１）の所定の位置にフッ素原子を含む基を有し、かつ、フッ素原子の総和が５以上であることにより、布帛などの染色物の酸素透過を促進させて酸素をラジカル補足剤として機能させ易くでき、それによって染色物の耐光性を高めることができたものであると推測される。また、式（１）のＲ101及びＲ102が水素原子であるトリアリールメタン化合物（１）は、波長６００〜６４０ｎｍの波長域で強い光吸収を示し、シアン色に適した分光を有している。したがって、式（１）のＲ101及びＲ102が水素原子であるトリアリールメタン化合物（１）は、耐光性に優れたシアン色染料として好ましく用いることができる。このため、本発明の着色組成物を用いることで、色味が鮮やかで、耐光性に優れた染色物を得ることができる。以下、本発明の着色組成物の各成分について説明する。
【００１４】
＜＜式（１）で表される化合物（トリアリールメタン化合物（１））＞＞
本発明の着色組成物は、式（１）で表される化合物（トリアリールメタン化合物（１）ともいう）を含む。本発明の着色組成物において、トリアリールメタン化合物（１）は、着色剤として用いられる。
【化２】
2020158604.tif 000003
【００１５】
式（１）中、Ｒ101及びＲ102は各々独立に水素原子、置換若しくは無置換のアルキル基、置換若しくは無置換のアリール基、又は、置換若しくは無置換のヘテロ環基を表す；
Ｒ111〜Ｒ132は各々独立に水素原子又は置換基を表し、Ｒ122とＲ126は互いに結合して環を形成してもよい；ただし、Ｒ111及びＲ115の少なくとも一方は置換基を表し、Ｒ116及びＲ120の少なくとも一方は置換基を表す；
Ｚ1は、−ＳＯ3-、−ＳＯ2−ＮＲｚ1Ｒｚ2、又は、−ＳＯ2−Ｌｚ1−Ｒｚ3を表し、
Ｒｚ1及びＲｚ2は各々独立に置換若しくは無置換のアルキル基、置換若しくは無置換のアリール基、又は、置換若しくは無置換のヘテロ環基を表し、Ｒｚ1とＲｚ2は互いに結合して環を形成してもよく、
Ｒｚ3は水素原子、置換若しくは無置換のアルキル基、置換若しくは無置換のアリール基、又は置換若しくは無置換のヘテロ環基を表し、
Ｌｚ1は、カルボニル基又はスルホニル基を表す；
ただし、Ｚ1が−ＳＯ3-の場合、Ｒ111〜Ｒ120及びＲ129〜Ｒ132の少なくとも１つはフッ素原子を含有する基であり、かつ、Ｒ111〜Ｒ120及びＲ129〜Ｒ132に含まれるフッ素原子の総和は５以上であり、
Ｚ1が−ＳＯ2−ＮＲｚ1Ｒｚ2の場合、Ｒ111〜Ｒ120、Ｒ129〜Ｒ132、Ｒｚ1及びＲｚ2の少なくとも１つはフッ素原子を含有する基であり、Ｒ111〜Ｒ132の少なくとも１つは−ＳＯ3-を含有する基であり、かつ、Ｒ111〜Ｒ120、Ｒ129〜Ｒ132、Ｒｚ1及びＲｚ2に含まれるフッ素原子の総和は５以上であり、
Ｚ1が−ＳＯ2−Ｌｚ1−Ｒｚ3の場合、Ｒ111〜Ｒ120、Ｒ129〜Ｒ132及びＲｚ3の少なくとも１つはフッ素原子を含有する基であり、Ｒ111〜Ｒ132の少なくとも１つは−ＳＯ3-を含有する基であり、かつ、Ｒ111〜Ｒ120、Ｒ129〜Ｒ132及びＲｚ3に含まれるフッ素原子の総和は５以上である。
【００１６】
式（１）において、Ｒ101及びＲ102は各々独立に水素原子、置換若しくは無置換のアルキル基、置換若しくは無置換のアリール基、又は、置換若しくは無置換のヘテロ環基を表す。アルキル基、アリール基、及び、ヘテロ環基が有していてもよい置換基としては、後述の置換基Ａ群で定義された置換基、フッ素原子を含有する基、−ＳＯ3-を含有する基などが挙げられる。Ｒ101及びＲ102は各々独立に水素原子、又は、置換若しくは無置換のアルキル基であることが好ましく、シアン色に適した分光特性が得られやすいという理由から水素原子であることがより好ましい。
【００１７】
Ｒ101及びＲ102が表すアルキル基は、直鎖、分岐または環状のいずれであってもよいが、直鎖または分岐が好ましく、直鎖がより好ましい。アルキル基の炭素数は、１〜１２が好ましく、１〜１０がより好ましく、１〜８がさらに好ましく、１〜４が特に好ましく、１〜３が最も好ましい。Ｒ101及びＲ102が表すアリール基の炭素数は、６〜１２が好ましく、６〜１０がより好ましく、６がさらに好ましい。Ｒ101及びＲ102が表すヘテロ環基は、単環であってもよく、縮合環であってもよい。ヘテロ環基は、芳香族ヘテロ環基であってもよく、非芳香族ヘテロ環基であってもよい。ヘテロ環基の環を構成するヘテロ原子の数は１〜３が好ましい。ヘテロ環基の環を構成するヘテロ原子の種類は、窒素原子、酸素原子または硫黄原子が好ましい。ヘテロ環基の環を構成する炭素原子の数は３〜３０が好ましく、３〜１８がより好ましく、３〜１２が更に好ましい。
【００１８】
式（１）において、Ｒ111〜Ｒ132は各々独立に水素原子又は置換基を表す。ただし、Ｒ111及びＲ115の少なくとも一方は置換基を表し、Ｒ116及びＲ120の少なくとも一方は置換基を表す。Ｒ111〜Ｒ132が表す置換基としては、後述の置換基Ａ群で定義された置換基、フッ素原子を含有する基、−ＳＯ3-を含有する基などが挙げられる。
【００１９】
式（１）において、Ｒ111、Ｒ113、Ｒ115、Ｒ116、Ｒ118、及びＲ120は各々独立に水素原子、ハロゲン原子、置換若しくは無置換のアルキル基、置換若しくは無置換のアリール基、置換若しくは無置換のヘテロ環基、シアノ基、ニトロ基、置換若しくは無置換のアルコキシ基、置換若しくは無置換のアシルオキシ基、置換若しくは無置換のカルバモイルオキシ基、置換若しくは無置換のアルコキシカルボニルオキシ基、置換若しくは無置換のアミノ基、置換若しくは無置換のアシルアミノ基、置換若しくは無置換のアミノカルボニルアミノ基、置換若しくは無置換のアリールカルボニルアミノ基、置換若しくは無置換のアルコキシカルボニルアミノ基、置換若しくは無置換のスルファモイルアミノ基、置換若しくは無置換のアルキルスルホニルアミノ基、置換若しくは無置換のアリールスルホニルアミノ基、置換若しくは無置換のアルキルチオ基、置換若しくは無置換のスルファモイル基、置換若しくは無置換のアルキルスルフィニル基、置換若しくは無置換のアルキルスルホニル基、アシル基、置換若しくは無置換のアルコキシカルボニル基、カルバモイル基、イミド基、又は、スルホ基を表し、かつ、Ｒ111及びＲ115の少なくとも一方、並びに、Ｒ116及びＲ120の少なくとも一方は、置換若しくは無置換のアルキル基、置換若しくは無置換のアリール基、又は、置換若しくは無置換のヘテロ環基を表すことが好ましく、Ｒ111、Ｒ113、Ｒ115、Ｒ116、Ｒ118、及びＲ120は各々独立に水素原子、置換若しくは無置換のアルキル基、置換若しくは無置換のアリール基、又は、置換若しくは無置換のヘテロ環基を表し、かつ、Ｒ111及びＲ115の少なくとも一方、並びに、Ｒ116及びＲ120の少なくとも一方は、置換若しくは無置換のアルキル基、置換若しくは無置換のアリール基、又は、置換若しくは無置換のヘテロ環基を表すことがより好ましく、Ｒ111、Ｒ113、Ｒ115、Ｒ116、Ｒ118、及びＲ120は各々独立に水素原子、置換若しくは無置換のアルキル基、又は、置換若しくは無置換のアリール基を表し、かつ、Ｒ111及びＲ115の少なくとも一方、並びに、Ｒ116及びＲ120の少なくとも一方は、置換若しくは無置換のアルキル基、又は、置換若しくは無置換のアリール基を表すことが更に好ましく、Ｒ111、Ｒ113、Ｒ115、Ｒ116、Ｒ118、及びＲ120は各々独立に水素原子、又は、置換若しくは無置換のアルキル基を表し、かつ、Ｒ111及びＲ115の少なくとも一方、並びに、Ｒ116及びＲ120の少なくとも一方は、置換若しくは無置換のアルキル基を表すことが特に好ましい。アルキル基などが有してもよい置換基としては、後述の置換基Ａ群で定義された置換基、フッ素原子を含有する基、−ＳＯ3-を含有する基などが挙げられる。
【００２０】
また、カチオン近傍の立体障害を高めてより優れた耐光性が得られやすいという理由から、式（１）のＲ111、Ｒ115、Ｒ116及びＲ120は各々独立に置換若しくは無置換のアルキル基を表すことが好ましい。この場合において、Ｒ113及びＲ118は、各々独立に水素原子、置換若しくは無置換のアルキル基、置換若しくは無置換のアリール基、又は、置換若しくは無置換のヘテロ環基であることが好ましく、水素原子、置換若しくは無置換のアルキル基、又は、置換若しくは無置換のアリール基であることがより好ましく、水素原子、又は、置換若しくは無置換のアルキル基であることが更に好ましく、置換若しくは無置換のアルキル基であることがより一層好ましい。
【００２１】
また、カチオン近傍の立体障害を高めてより優れた耐光性が得られやすいという理由から、Ｒ111、Ｒ113、及び、Ｒ115の基に含まれる炭素数の合計、並びに、Ｒ116、Ｒ118、及び、Ｒ120の基に含まれる炭素数の合計の少なくとも一方は３以上であることが好ましく、両方が３以上であることがより好ましい。上記炭素数の合計の上限は、水溶性を向上させやすいという理由から１５以下であることが好ましく、１０以下であることがより好ましい。Ｒ111、Ｒ113、及び、Ｒ115の基に含まれる炭素数の合計が３以上とする好ましい態様としては、Ｒ111、Ｒ113及びＲ115がそれぞれ独立に炭素数１以上の置換若しくは無置換のアルキル基である態様、Ｒ111及びＲ115がそれぞれ独立に炭素数１以上の置換若しくは無置換のアルキル基で、かつ、Ｒ111及びＲ115の少なくも一方（好ましくは両方）が炭素数２以上の置換若しくは無置換のアルキル基である態様が挙げられる。また、Ｒ116、Ｒ118及びＲ120の基に含まれる炭素数の合計が３以上とする好ましい態様としては、Ｒ116、Ｒ118及びＲ120がそれぞれ独立に炭素数１以上の置換若しくは無置換のアルキル基である態様、Ｒ116及びＲ120がそれぞれ独立に炭素数１以上の置換若しくは無置換のアルキル基で、かつ、Ｒ116及びＲ120の少なくも一方（好ましくは両方）が炭素数２以上の置換若しくは無置換のアルキル基である態様が挙げられる。
【００２２】
Ｒ111、Ｒ113、Ｒ115、Ｒ116、Ｒ118及びＲ120が表すアルキル基は、直鎖、分岐または環状のいずれであってもよいが、直鎖または分岐が好ましく、直鎖がより好ましい。アルキル基の炭素数は、１〜１２が好ましく、１〜１０がより好ましく、１〜８がさらに好ましく、１〜４が特に好ましく、１〜３が最も好ましい。Ｒ111、Ｒ113、Ｒ115、Ｒ116、Ｒ118、及びＲ120が表すアリール基の炭素数は、６〜１２が好ましく、６〜１０がより好ましく、６がさらに好ましい。Ｒ111、Ｒ113、Ｒ115、Ｒ116、Ｒ118、及びＲ120が表すヘテロ環基は、単環であってもよく、縮合環であってもよい。ヘテロ環基は、芳香族ヘテロ環基であってもよく、非芳香族ヘテロ環基であってもよい。ヘテロ環基の環を構成するヘテロ原子の数は１〜３が好ましい。ヘテロ環基の環を構成するヘテロ原子の種類は、窒素原子、酸素原子または硫黄原子が好ましい。ヘテロ環基の環を構成する炭素原子の数は３〜３０が好ましく、３〜１８がより好ましく、３〜１２がより好ましい。
【００２３】
式（１）において、Ｒ112、Ｒ114、Ｒ117及びＲ119は、それぞれ独立に、水素原子、フッ素原子を含有する基、ハロゲン原子、置換若しくは無置換のアルキル基、置換若しくは無置換のアリール基、置換若しくは無置換のヘテロ環基、シアノ基、ニトロ基、置換若しくは無置換のアルコキシ基、置換若しくは無置換のアシルオキシ基、置換若しくは無置換のカルバモイルオキシ基、置換若しくは無置換のアルコキシカルボニルオキシ基、置換若しくは無置換のアミノ基、置換若しくは無置換のアシルアミノ基、置換若しくは無置換のアミノカルボニルアミノ基、置換若しくは無置換のアリールカルボニルアミノ基、置換若しくは無置換のアルコキシカルボニルアミノ基、置換若しくは無置換のスルファモイルアミノ基、置換若しくは無置換のアルキルスルホニルアミノ基、置換若しくは無置換のアリールスルホニルアミノ基、置換若しくは無置換のアルキルチオ基、置換若しくは無置換のスルファモイル基、置換若しくは無置換のアルキルスルフィニル基、置換若しくは無置換のアルキルスルホニル基、アシル基、置換若しくは無置換のアルコキシカルボニル基、カルバモイル基、イミド基、又は、スルホ基であることが好ましく、水素原子、フッ素原子を含有する基、置換若しくは無置換のアルキル基、置換若しくは無置換のアリール基、置換若しくは無置換のヘテロ環基、置換若しくは無置換のアミノ基、置換若しくは無置換のアシルアミノ基、置換若しくは無置換のアミノカルボニルアミノ基、置換若しくは無置換のアリールカルボニルアミノ基、置換若しくは無置換のアルコキシカルボニルアミノ基、置換若しくは無置換のスルファモイルアミノ基、置換若しくは無置換のアルキルスルホニルアミノ基、置換若しくは無置換のアリールスルホニルアミノ基、置換若しくは無置換のスルファモイル基、カルバモイル基、イミド基、又は、スルホ基であることがより好ましい。なお、スルホ基は塩の状態であってもよい。塩を形成する対カチオンとしては、アンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウムイオン）が挙げられる。
【００２４】
式（１）において、Ｒ121〜Ｒ128の少なくとも１つは置換基を表すことが好ましく、Ｒ121〜Ｒ124の少なくとも１つとＲ125〜Ｒ128の少なくとも１つは、それぞれ独立に置換基を表すことがより好ましい。置換基としては、ハロゲン原子、置換若しくは無置換のアルキル基、置換若しくは無置換のアリール基、シアノ基、ニトロ基、置換若しくは無置換のアルコキシ基、置換若しくは無置換のアシルオキシ基、置換若しくは無置換のカルバモイルオキシ基、置換若しくは無置換のアルコキシカルボニルオキシ基、置換若しくは無置換のアミノ基、置換若しくは無置換のアシルアミノ基、置換若しくは無置換のアミノカルボニルアミノ基、置換若しくは無置換のアリールカルボニルアミノ基、置換若しくは無置換のアルコキシカルボニルアミノ基、置換若しくは無置換のスルファモイルアミノ基、置換若しくは無置換のアルキルスルホニルアミノ基、置換若しくは無置換のアリールスルホニルアミノ基、置換若しくは無置換のアルキルチオ基、置換若しくは無置換のスルファモイル基、置換若しくは無置換のアルキルスルフィニル基、置換若しくは無置換のアルキルスルホニル基、アシル基、置換若しくは無置換のアルコキシカルボニル基、カルバモイル基、イミド基、スルホ基、又は、−ＳＯ3-を含有する基であることが好ましく、置換若しくは無置換のアルキル基、又は、置換若しくは無置換のアリール基であることがより好ましく、置換若しくは無置換のアリール基であることが更に好ましい。アルキル基などの詳細については、後述する置換基Ａの項目で説明する範囲と同義である。また、アルキル基などが有してもよい置換基としては、後述の置換基Ａ群で定義された置換基、−ＳＯ3-を含有する基などが挙げられる。
【００２５】
また、カチオン近傍の立体障害を高めてより優れた耐光性が得られやすいという理由から、式（１）のＲ121〜Ｒ124の少なくとも１つ、及び、Ｒ125〜Ｒ128の少なくとも１つは、それぞれ独立に炭素数３以上の基であることも好ましい。炭素数３以上の基としては、置換若しくは無置換の炭素数３以上（好ましくは炭素数３〜３０）のアルキル基、置換若しくは無置換のアリール基が挙げられる。アルキル基は、直鎖、分岐のアルキル基が挙げられ、分岐のアルキル基であることが好ましい。炭素数３以上の基は、置換若しくは無置換の炭素数３以上の分岐のアルキル基または置換若しくは無置換のアリール基であることが好ましく、置換若しくは無置換のアリール基であることがより好ましい。
【００２６】
また、より優れた耐光性が得られやすいという理由から、式（１）のＲ121〜Ｒ124の基に含まれる炭素数の合計、及び、Ｒ125〜Ｒ128の基に含まれる炭素数の合計の少なくとも一方は３以上であることが好ましく、両方が３以上であることがより好ましい。上記の炭素数の合計の上限は、４以上であることが好ましく、５以上であることがより好ましく、６以上であることが更に好ましい。上記炭素数の合計の上限は、水溶性を向上させやすいという理由から１５以下であることが好ましく、１０以下であることがより好ましい。
【００２７】
式（１）において、Ｒ122とＲ126は互いに結合して環を形成してもよいが、環を形成していないことが好ましい。
【００２８】
式（１）において、Ｒ129〜Ｒ132は、それぞれ独立に水素原子または置換基を表す。置換基としては、ハロゲン原子、置換若しくは無置換のアルキル基、置換若しくは無置換のアリール基、シアノ基、ニトロ基、置換若しくは無置換のアルコキシ基、置換若しくは無置換のアシルオキシ基、置換若しくは無置換のカルバモイルオキシ基、置換若しくは無置換のアルコキシカルボニルオキシ基、置換若しくは無置換のアミノ基、置換若しくは無置換のアシルアミノ基、置換若しくは無置換のアミノカルボニルアミノ基、置換若しくは無置換のアリールカルボニルアミノ基、置換若しくは無置換のアルコキシカルボニルアミノ基、置換若しくは無置換のスルファモイルアミノ基、置換若しくは無置換のアルキルスルホニルアミノ基、置換若しくは無置換のアリールスルホニルアミノ基、置換若しくは無置換のアルキルチオ基、置換若しくは無置換のスルファモイル基、置換若しくは無置換のアルキルスルフィニル基、置換若しくは無置換のアルキルスルホニル基、アシル基、置換若しくは無置換のアルコキシカルボニル基、カルバモイル基、イミド基、スルホ基、フッ素原子を含有する基、又は、ＳＯ3-を含有する基であることが好ましく、置換若しくはニトロ基、シアノ基、置換若しくは無置換のアルコキシ基、無置換のアルキル基、置換若しくは無置換のアリール基、置換若しくは無置換のアルキルスルホニルアミノ基、置換若しくは無置換のアリールスルホニルアミノ基、スルホ基、フッ素原子を含有する基、又は、ＳＯ3-を含有する基であることがより好ましく、スルホ基、又は、ＳＯ3-を含有する基であることが更に好ましい。アルキル基などの詳細については、後述する置換基Ａの項目で説明する範囲と同義である。また、アルキル基などが有してもよい置換基としては、後述の置換基Ａ群で定義された置換基、フッ素原子を含有する基、−ＳＯ3-を含有する基などが挙げられる。
【００２９】
式（１）において、Ｚ1は、−ＳＯ3-、−ＳＯ2−ＮＲｚ1Ｒｚ2、又は、−ＳＯ2−Ｌｚ1−Ｒｚ3を表し、Ｒｚ1及びＲｚ2は各々独立に置換若しくは無置換のアルキル基、置換若しくは無置換のアリール基、又は、置換若しくは無置換のヘテロ環基を表し、Ｒｚ1とＲｚ2は互いに結合して環を形成してもよく、Ｒｚ3は水素原子、置換若しくは無置換のアルキル基、置換若しくは無置換のアリール基、又は置換若しくは無置換のヘテロ環基を表し、Ｌｚ1は、カルボニル基又はスルホニル基を表す。
【００３０】
カチオン近傍の立体障害を高めてより優れた耐光性が得られやすいという理由から、Ｚ1は、−ＳＯ2−ＮＲｚ1Ｒｚ2、又は、−ＳＯ2−Ｌｚ1−Ｒｚ3であることが好ましい。
【００３１】
Ｒｚ1〜Ｒｚ3が表すアルキル基は、直鎖、分岐または環状のいずれであってもよいが、直鎖または分岐が好ましく、直鎖がより好ましい。アルキル基の炭素数は、１〜１２が好ましく、１〜１０がより好ましく、１〜８がさらに好ましく、１〜４が特に好ましく、１〜３が最も好ましい。Ｒｚ1〜Ｒｚ3が表すアリール基の炭素数は、６〜１２が好ましく、６〜１０がより好ましく、６がさらに好ましい。Ｒｚ1〜Ｒｚ3が表すヘテロ環基は、単環であってもよく、縮合環であってもよい。ヘテロ環基は、芳香族ヘテロ環基であってもよく、非芳香族ヘテロ環基であってもよい。ヘテロ環基の環を構成するヘテロ原子の数は１〜３が好ましい。ヘテロ環基の環を構成するヘテロ原子の種類は、窒素原子、酸素原子または硫黄原子が好ましい。ヘテロ環基の環を構成する炭素原子の数は３〜３０が好ましく、３〜１８がより好ましく、３〜１２がより好ましい。Ｒｚ1〜Ｒｚ3が表すアルキル基、アリール基、及び、ヘテロ環基が有してもよい置換基としては、後述の置換基Ｔ群で定義された置換基、及び、フッ素原子を含有する基が挙げられる。
【００３２】
Ｒｚ1とＲｚ2は互いに結合して環を形成してもよい。Ｒｚ1とＲｚ2が互いに結合して環を形成する場合、Ｒｚ1とＲｚ2は−ＣＲ101Ｒ102−または−ＮＲ103−を介して結合して環を形成することが好ましい。Ｒ101〜Ｒ103はそれぞれ独立して水素原子又は置換基を表す。置換基としては、後述の置換基Ｔ群で定義された置換基、及び、フッ素原子を含有する基が挙げられる。Ｒｚ1とＲｚ2は互いに結合して形成される環は、５〜７員環であることが好ましく、５員環又は６員環であることがより好ましい。
【００３３】
式（１）において、Ｚ1が−ＳＯ3-の場合、Ｒ111〜Ｒ132の少なくとも１つはフッ素原子を含有する基であり、かつ、Ｒ111〜Ｒ120及びＲ129〜Ｒ132に含まれるフッ素原子の総和は５以上である。Ｒ112〜Ｒ114、Ｒ117〜Ｒ119、Ｒ121〜Ｒ132の少なくとも１つはフッ素原子を含有する基であることが好ましく、少なくとも２つがフッ素原子を含有する基であることがより好ましい。また、より優れた耐光性が得られやすいという理由から、Ｒ111〜Ｒ120及びＲ129〜Ｒ132に含まれるフッ素原子の総和は６以上であることが好ましく、８以上であることがより好ましく、１０以上であることが更に好ましい。また、フッ素原子の総和は、水溶性を向上させやすいという理由から３０以下であることがより好ましく、２０以下であることが更に好ましい。また、水溶性を向上させやすいという理由からＲ112〜Ｒ114、Ｒ117〜Ｒ119、Ｒ121〜Ｒ132の少なくとも１つ、好ましくは１〜６個、より好ましくは２〜４個はスルホ基であることも好ましい。
【００３４】
式（１）において、Ｚ1が−ＳＯ2−ＮＲｚ1Ｒｚ2の場合、Ｒ111〜Ｒ132、Ｒｚ1及びＲｚ2の少なくとも１つはフッ素原子を含有する基であり、Ｒ111〜Ｒ132の少なくとも１つは−ＳＯ3-を含有する基であり、かつ、Ｒ111〜Ｒ120、Ｒ129〜Ｒ132、Ｒｚ1及びＲｚ2に含まれるフッ素原子の総和は５以上である。Ｒ112〜Ｒ114、Ｒ117〜Ｒ119、Ｒ121〜Ｒ132、Ｒｚ1及びＲｚ2の少なくとも１つはフッ素原子を含有する基であることが好ましく、少なくとも２つはフッ素原子を含有する基であることがより好ましい。また、より優れた耐光性が得られやすいという理由から、Ｒ111〜Ｒ120、Ｒ129〜Ｒ132、Ｒｚ1及びＲｚ2に含まれるフッ素原子の総和は６以上であることが好ましく、８以上であることがより好ましく、１０以上であることが更に好ましい。また、フッ素原子の総和は、水溶性を向上させやすいという理由から３０以下であることがより好ましく、２０以下であることが更に好ましい。また、Ｒ112〜Ｒ114、Ｒ117〜Ｒ119、Ｒ121〜Ｒ132の少なくとも１つは−ＳＯ3-を含有する基であることが好ましく、これらの基の１つが−ＳＯ3-を含有する基であることが更に好ましい。また、水溶性を向上させやすいという理由からＲ112〜Ｒ114、Ｒ117〜Ｒ119、Ｒ121〜Ｒ132の少なくとも１つ、好ましくは１〜６個、より好ましくは２〜４個はスルホ基であることも好ましい。また、より優れた耐光性が得られやすいという理由から、Ｒｚ1及びＲｚ2の少なくとも一方が２級アルキル基又は３級アルキル基であるか、Ｒｚ1とＲｚ2は互いに結合して環を形成していることも好ましい。
【００３５】
式（１）において、Ｚ1が−ＳＯ2−Ｌｚ1−Ｒｚ3の場合、Ｒ111〜Ｒ132及びＲｚ3のうち少なくとも１つはフッ素原子を含有する基であり、Ｒ111〜Ｒ132のうち少なくとも１つは−ＳＯ3-を含有する基であり、かつ、Ｒ111〜Ｒ120、Ｒ129〜Ｒ132及びＲｚ3に含まれるフッ素原子の総和は５以上である。Ｒ112〜Ｒ114、Ｒ117〜Ｒ119、Ｒ121〜Ｒ132、及びＲｚ3の少なくとも１つはフッ素原子を含有する基であることが好ましく、少なくとも２つはフッ素原子を含有する基であることがより好ましい。また、より優れた耐光性が得られやすいという理由から、Ｒ111〜Ｒ120、Ｒ129〜Ｒ132及びＲｚ3に含まれるフッ素原子の総和は６以上であることが好ましく、８以上であることがより好ましく、１０以上であることが更に好ましい。また、フッ素原子の総和は、水溶性を向上させやすいという理由から３０以下であることがより好ましく、２０以下であることが更に好ましい。また、Ｒ112〜Ｒ114、Ｒ117〜Ｒ119、Ｒ121〜Ｒ132の少なくとも１つは−ＳＯ3-を含有する基であることが好ましく、これらの基の１つが−ＳＯ3-を含有する基であることが更に好ましい。また、水溶性を向上させやすいという理由からＲ112〜Ｒ114、Ｒ117〜Ｒ119、Ｒ121〜Ｒ132の少なくとも１つ、好ましくは１〜６個、より好ましくは２〜４個はスルホ基であることも好ましい。
【００３６】
式（１）で表される化合物（トリアリールメタン化合物（１））に含まれるフッ素原子の総和は６以上であることが好ましく、８以上であることがより好ましく、より優れた耐光性が得られやすいという理由から１０以上であることが更に好ましい。また、フッ素原子の総和は、水溶性を向上させやすいという理由から３０以下であることがより好ましく、２０以下であることが更に好ましい。
【００３７】
（フッ素原子を含有する基）
フッ素原子を含有する基としては、フッ素原子、−ＲF1、−ＯＲF1、−ＳＲF1、−ＣＯＲF1、−ＣＯＯＲF1、−ＯＣＯＲF1、−ＮＲF1ＲF2、−ＮＨＣＯＲF1、−ＣＯＮＲF1ＲF2、−ＮＨＣＯＮＲF1ＲF2、−ＮＨＣＯＯＲF1、−ＳＯ2ＲF1、−ＳＯ2ＯＲF1及び−ＮＨＳＯ2ＲF1が挙げられ、フッ素原子、−ＲF1、−ＮＲF1ＲF2、−ＯＣＯＲF1、−ＮＨＣＯＲF1、−ＮＨＣＯＮＲF1ＲF2、−ＮＨＣＯＯＲF1、及び、−ＮＨＳＯ2ＲF1がより好ましい。ＲF1は、フッ素原子を含む炭化水素基を表し、ＲF2は、水素原子、炭化水素基、ヘテロ環基、または、フッ素原子を含む炭化水素基を表す。以下、フッ素原子を含む炭化水素基を含フッ素炭化水素基ともいう。
【００３８】
炭化水素基としては、脂肪族炭化水素基、及び、芳香族炭化水素基が挙げられる。脂肪族炭化水素基は、飽和脂肪族炭化水素基であってもよく、不飽和脂肪族炭化水素基であってもよい。また、脂肪族炭化水素基は鎖式脂肪族炭化水素基であってもよく、環式脂肪族炭化水素基であってもよい。炭化水素基の具体例としては、アルキル基、アルケニル基、アルキニル基、アリール基が挙げられる。アルキル基の炭素数は、１〜３０が好ましく、１〜２０がより好ましく、１〜１０が更に好ましく、１〜５が特に好ましい。アルキル基は直鎖、分岐、環状のいずれでもよいが、直鎖または分岐が好ましく、直鎖がより好ましい。アルケニル基及びアルキニル基の炭素数は、２〜３０が好ましく、２〜２０がより好ましく、２〜１０が更に好ましく、２〜５が特に好ましい。アルケニル基及びアルキニル基は直鎖、分岐、環状のいずれでもよいが、直鎖または分岐が好ましく、直鎖がより好ましい。アリール基の炭素数は、６〜３０が好ましく、６〜２０がより好ましく、６〜１２が更に好ましい。
【００３９】
含フッ素炭化水素基としては、上記炭化水素基の水素原子の少なくとも一部がフッ素原子で置換された基が挙げられ、フルオロアルキル基及びフルオロアリール基であることが好ましい。含フッ素炭化水素基において、耐光性を向上させやすいという理由からフッ素原子の置換率は２０〜１００％であることが好ましく、４０〜１００％であることがより好ましく、５０〜１００％であることがさらに好ましい。なお、フッ素原子の置換率とは、炭化水素基が有する全水素原子の数に対してフッ素原子に置換されている数の比率（％）をいう。
【００４０】
ヘテロ環基は、単環であってもよく、縮合環であってもよい。ヘテロ環基は、芳香族ヘテロ環基であってもよく、非芳香族ヘテロ環基であってもよい。ヘテロ環基の環を構成するヘテロ原子の数は１〜３が好ましい。ヘテロ環基の環を構成するヘテロ原子の種類は、窒素原子、酸素原子または硫黄原子が好ましい。ヘテロ環基の環を構成する炭素原子の数は３〜３０が好ましく、３〜１８がより好ましく、３〜１２が更に好ましい。
【００４１】
（−ＳＯ3-を含有する基）
−ＳＯ3-を含有する基としては、−ＳＯ3-、−ＲS1、−ＯＲS1、−ＳＲS1、−ＣＯＲS1、−ＣＯＯＲS1、−ＯＣＯＲS1、−ＮＲS1ＲS2、−ＮＨＣＯＲS1、−ＣＯＮＲS1ＲS2、−ＮＨＣＯＮＲS1ＲS2、−ＮＨＣＯＯＲS1、−ＳＯ2ＲS1、−ＳＯ2ＯＲS1及び−ＮＨＳＯ2ＲS1が挙げられ、−ＳＯ3-及び−ＲS1がより好ましい。ＲS1は、−ＳＯ3-を含む炭化水素基を表し、ＲS2は、水素原子、炭化水素基、ヘテロ環基、または、−ＳＯ3-を含む炭化水素基を表す。炭化水素基及びヘテロ環基の詳細については、フッ素原子を含有する基で説明した範囲と同様である。−ＳＯ3-を含む炭化水素基としては、炭化水素基の水素原子の少なくとも一部が−ＳＯ3-で置換された基が挙げられ、アルキル基またはアリール基の水素原子の少なくとも一部が−ＳＯ3-で置換された基が好ましい。−ＳＯ3-を含む炭化水素基は、炭化水素基の水素原子の１つが−ＳＯ3-で置換された基が好ましく、アルキル基またはアリール基の水素原子の１つが−ＳＯ3-で置換された基がより好ましく、アリール基の水素原子の１つが−ＳＯ3-で置換された基が更に好ましい。
【００４２】
（置換基Ａ）
置換基Ａとしては、ハロゲン原子、アルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基、アシルアミノ基、アミノカルボニルアミノ基、アルコキシカルボニルアミノ基、アリールオキシカルボニルアミノ基、スルファモイルアミノ基、アルキル又はアリールスルホニルアミノ基、メルカプト基、アルキルチオ基、アリールチオ基、ヘテロ環チオ基、スルファモイル基、アルキル又はアリールスルフィニル基、アルキル又はアリールスルホニル基、アシル基、アリールオキシカルボニル基、アルコキシカルボニル基、カルバモイル基、アリール又はヘテロ環アゾ基、イミド基、ホスフィノ基、ホスフィニル基、ホスフィニルオキシ基、ホスフィニルアミノ基、シリル基、イオン性親水性基が挙げられる。これらの置換基は更に置換されてもよく、更なる置換基としては、以上に説明した置換基Ａから選択される基、上述したフッ素原子を含有する基、上述した−ＳＯ3-を含有する基を挙げることができる。
【００４３】
ハロゲン原子としては、フッ素原子、塩素原子、臭素原子、及び、ヨウ素原子が挙げられる。
【００４４】
アルキル基としては、直鎖、分岐、環状の置換若しくは無置換のアルキル基が挙げられる。アルキル基の炭素数は１〜３０が好ましい。直鎖または分岐のアルキル基としては、好ましくは、炭素数１〜３０のアルキル基であり、具体例としては、メチル基、エチル基、ｎ−プロピル基、ｉ−プロピル基、ｔ−ブチル基、ｎ−オクチル基、エイコシル基、２−クロロエチル基、２−シアノエチル基、２―エチルヘキシル基等が挙げられる。環状のアルキル基としては、シクロアルキル基、ビシクロアルキル基、更に環構造が多いトリシクロ構造などが挙げられる。以下に説明する置換基の中のアルキル基（例えば、アルコキシ基、アルキルチオ基のアルキル基）もこのような概念のアルキル基を表す。シクロアルキル基としては、好ましくは、炭素数３〜３０の置換又は無置換のシクロアルキル基であり、具体例としては、シクロヘキシル基、シクロペンチル基、４−ｎ−ドデシルシクロヘキシル基等が挙げられる。ビシクロアルキル基としては、好ましくは、炭素数５〜３０の置換若しくは無置換のビシクロアルキル基、つまり、炭素数５〜３０のビシクロアルカンから水素原子を一個取り去った一価の基であり、具体例としては、ビシクロ［１，２，２］ヘプタン−２−イル基、ビシクロ［２，２，２］オクタン−３−イル基等が挙げられる。
【００４５】
アラルキル基としては、置換若しくは無置換の炭素数７〜３０のアラルキル基が挙げられる。具体例としては、ベンジル基及び２−フェネチル基が挙げられる。
【００４６】
アルケニル基としては、直鎖、分岐、環状の置換若しくは無置換のアルケニル基が挙げられる。アルケニル基の炭素数は２〜３０が好ましい。環状のアルケニル基には、シクロアルケニル基、ビシクロアルケニル基が包含される。直鎖または分岐のアルケニル基としては、好ましくは炭素数２〜３０の置換又は無置換のアルケニル基である。具体例としては、ビニル基、アリル基、プレニル基、ゲラニル基、オレイル基等が挙げられる。環状のアルケニル基としては、シクロアルケニル基、及び、ビシクロアルケニル基が挙げられる。シクロアルケニル基としては、好ましくは、炭素数３〜３０の置換若しくは無置換のシクロアルケニル基、つまり、炭素数３〜３０のシクロアルケンの水素原子を一個取り去った一価の基である。具体例としては、２−シクロペンテン−１−イル基、２−シクロヘキセン−１−イル基等が挙げられる。ビシクロアルケニル基としては、好ましくは、炭素数５〜３０の置換若しくは無置換のビシクロアルケニル基、つまり二重結合を一個持つビシクロアルケンの水素原子を一個取り去った一価の基である。具体例としては、ビシクロ［２，２，１］ヘプト−２−エン−１−イル基、ビシクロ［２，２，２］オクト−２−エン−４−イル基等が挙げられる。
【００４７】
アルキニル基としては、好ましくは、炭素数２〜３０の置換又は無置換のアルキニル基である。具体例としては、エチニル基、プロパルギル基、トリメチルシリルエチニル基等が挙げられる。
【００４８】
アリール基としては、好ましくは、炭素数６〜３０の置換若しくは無置換のアリール基である。具体例としては、フェニル基、ｐ−トリル基、ナフチル基、ｍ−クロロフェニル基、ｏ−ヘキサデカノイルアミノフェニル基等が挙げられる。
【００４９】
ヘテロ環基としては、好ましくは、５又は６員の置換若しくは無置換の芳香族若しくは非芳香族のヘテロ環化合物から一個の水素原子を取り除いた一価の基であり、更に好ましくは、炭素数３から３０の５又は６員の芳香族のヘテロ環基である。芳香族のヘテロ環基の具体例としては、２−フリル基、２−チエニル基、２−ピリミジニル基、２−ベンゾチアゾリル基等が挙げられる。非芳香族のヘテロ環基の具体例としては、モルホリニル基等が挙げられる。
【００５０】
アルコキシ基としては、好ましくは、炭素数１〜３０の置換若しくは無置換のアルコキシ基である。具体例としては、メトキシ基、エトキシ基、イソプロポキシ基、ｔ−ブトキシ基、ｎ−オクチルオキシ基、２−メトキシエトキシ基等が挙げられる。
【００５１】
アリールオキシ基としては、好ましくは、炭素数６〜３０の置換若しくは無置換のアリールオキシ基である。具体例としては、フェノキシ基、２−メチルフェノキシ基、４−ｔ−ブチルフェノキシ基、３−ニトロフェノキシ基、２−テトラデカノイルアミノフェノキシ基等が挙げられる。
【００５２】
シリルオキシ基としては、好ましくは、炭素数０〜２０の置換若しくは無置換のシリルオキシ基である。具体例としては、トリメチルシリルオキシ基、ジフェニルメチルシリルオキシ基等が挙げられる。
【００５３】
ヘテロ環オキシ基としては、好ましくは、炭素数２〜３０の置換若しくは無置換のヘテロ環オキシ基である。具体例としては、１−フェニルテトラゾール−５−オキシ基、２−テトラヒドロピラニルオキシ基等が挙げられる。
【００５４】
アシルオキシ基としては、好ましくは、ホルミルオキシ基、炭素数２〜３０の置換若しくは無置換のアルキルカルボニルオキシ基、炭素数６〜３０の置換若しくは無置換のアリールカルボニルオキシ基である。具体例としては、アセチルオキシ基、ピバロイルオキシ基、ステアロイルオキシ基、ベンゾイルオキシ基、ｐ−メトキシフェニルカルボニルオキシ基等が挙げられる。
【００５５】
カルバモイルオキシ基としては、好ましくは、炭素数１〜３０の置換若しくは無置換のカルバモイルオキシ基である。具体例としては、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基等が挙げられる。
【００５６】
アルコキシカルボニルオキシ基としては、好ましくは、炭素数２〜３０の置換若しくは無置換アルコキシカルボニルオキシ基である。具体例としては、メトキシカルボニルオキシ基、エトキシカルボニルオキシ基、ｔ−ブトキシカルボニルオキシ基、ｎ−オクチルカルボニルオキシ基等が挙げられる。
【００５７】
アリールオキシカルボニルオキシ基としては、好ましくは、炭素数７〜３０の置換若しくは無置換のアリールオキシカルボニルオキシ基である。具体例としては、フェノキシカルボニルオキシ基、ｐ−メトキシフェノキシカルボニルオキシ基、ｐ−ｎ−ヘキサデシルオキシフェノキシカルボニルオキシ基等が挙げられる。
【００５８】
アミノ基としては、−ＮＨ2、アルキルアミノ基、アリールアミノ基、ヘテロ環アミノ基が挙げられ、好ましくは、−ＮＨ2、炭素数１〜３０の置換若しくは無置換のアルキルアミノ基、炭素数６〜３０の置換若しくは無置換のアリールアミノ基である。具体例としては、−ＮＨ2、メチルアミノ基、ジメチルアミノ基、アニリノ基、Ｎ−メチル−アニリノ基、ジフェニルアミノ基、トリアジニルアミノ基等が挙げられる。
【００５９】
アシルアミノ基としては、好ましくは、ホルミルアミノ基、炭素数１〜３０の置換若しくは無置換のアルキルカルボニルアミノ基、炭素数６〜３０の置換若しくは無置換のアリールカルボニルアミノ基である。具体例としては、アセチルアミノ基、ピバロイルアミノ基、ラウロイルアミノ基、ベンゾイルアミノ基、３，４，５−トリ−ｎ−オクチルオキシフェニルカルボニルアミノ基等が挙げられる。
【００６０】
アミノカルボニルアミノ基としては、好ましくは、炭素数１〜３０の置換若しくは無置換のアミノカルボニルアミノ基である。具体例としては、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基等が挙げられる。
【００６１】
アルコキシカルボニルアミノ基としては、好ましくは、炭素数２〜３０の置換若しくは無置換のアルコキシカルボニルアミノ基である。具体例としては、メトキシカルボニルアミノ基、エトキシカルボニルアミノ基、ｔ−ブトキシカルボニルアミノ基、ｎ−オクタデシルオキシカルボニルアミノ基、Ｎ−メチルーメトキシカルボニルアミノ基等が挙げられる。
【００６２】
アリールオキシカルボニルアミノ基としては、好ましくは、炭素数７〜３０の置換若しくは無置換のアリールオキシカルボニルアミノ基である。具体例としては、フェノキシカルボニルアミノ基、ｐ−クロロフェノキシカルボニルアミノ基、ｍ−ｎ−オクチルオキシフェノキシカルボニルアミノ基等が挙げられる。
【００６３】
スルファモイルアミノ基としては、好ましくは、炭素数０〜３０の置換若しくは無置換のスルファモイルアミノ基である。具体例としては、スルファモイルアミノ基、Ｎ，Ｎ−ジメチルアミノスルホニルアミノ基、Ｎ−オクチルアミノスルホニルアミノ基等が挙げられる。
【００６４】
アルキル又はアリールスルホニルアミノ基としては、好ましくは、炭素数１〜３０の置換若しくは無置換のアルキルスルホニルアミノ基、炭素数６〜３０の置換若しくは無置換のアリールスルホニルアミノ基である。具体例としては、メチルスルホニルアミノ基、ブチルスルホニルアミノ基、フェニルスルホニルアミノ基、２，３，５−トリクロロフェニルスルホニルアミノ基、ｐ−メチルフェニルスルホニルアミノ基等が挙げられる。
【００６５】
アルキルチオ基としては、好ましくは、炭素数１〜３０の置換若しくは無置換のアルキルチオ基である。具体例としては、メチルチオ基、エチルチオ基、ｎ−ヘキサデシルチオ基等が挙げられる。
【００６６】
アリールチオ基としては、好ましくは、炭素数６〜３０の置換若しくは無置換のアリールチオ基である。具体例としては、フェニルチオ基、ｐ−クロロフェニルチオ基、ｍ−メトキシフェニルチオ基等が挙げられる。
【００６７】
ヘテロ環チオ基としては、好ましくは、炭素数２〜３０の置換又は無置換のヘテロ環チオ基である。具体例としては、２−ベンゾチアゾリルチオ基、１−フェニルテトラゾール−５−イルチオ基等が挙げられる。
【００６８】
スルファモイル基としては、好ましくは、炭素数０〜３０の置換若しくは無置換のスルファモイル基である。具体例としては、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ’−フェニルカルバモイル）スルファモイル基等が挙げられる。
【００６９】
アルキル又はアリールスルフィニル基としては、好ましくは、炭素数１〜３０の置換又は無置換のアルキルスルフィニル基、炭素数６〜３０の置換又は無置換のアリールスルフィニル基である。具体例としては、メチルスルフィニル基、エチルスルフィニル基、フェニルスルフィニル基、ｐ−メチルフェニルスルフィニル基等が挙げられる。
【００７０】
アルキル又はアリールスルホニル基としては、好ましくは、炭素数１〜３０の置換又は無置換のアルキルスルホニル基、炭素数６〜３０の置換又は無置換のアリールスルホニル基である。具体例としては、メチルスルホニル基、エチルスルホニル基、フェニルスルホニル基、ｐ−メチルフェニルスルホニル基等が挙げられる。
【００７１】
アシル基としては、好ましくは、ホルミル基、炭素数２〜３０の置換又は無置換のアルキルカルボニル基、炭素数７〜３０の置換若しくは無置換のアリールカルボニル基、炭素数２〜３０の置換若しくは無置換の炭素原子でカルボニル基と結合しているヘテロ環カルボニル基である。具体例としては、ホルミル基、アセチル基、ピバロイル基、２−クロロアセチル基、ステアロイル基、ベンゾイル基、ｐ−ｎ−オクチルオキシフェニルカルボニル基、２−ピリジルカルボニル基、２−フリルカルボニル基等が挙げられる。
【００７２】
アリールオキシカルボニル基としては、好ましくは、炭素数７〜３０の置換若しくは無置換のアリールオキシカルボニル基である。具体例としては、フェノキシカルボニル基、ｏ−クロロフェノキシカルボニル基、ｍ−ニトロフェノキシカルボニル基、ｐ−ｔ−ブチルフェノキシカルボニル基等が挙げられる。
【００７３】
アルコキシカルボニル基としては、好ましくは、炭素数２〜３０の置換若しくは無置換アルコキシカルボニル基である。具体例としては、メトキシカルボニル基、エトキシカルボニル基、ｔ−ブトキシカルボニル基、ｎ−オクタデシルオキシカルボニル基等が挙げられる。
【００７４】
カルバモイル基としては、好ましくは、炭素数１〜３０の置換若しくは無置換のカルバモイル基である。具体例としては、カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基等が挙げられる。
【００７５】
アリール又はヘテロ環アゾ基としては、好ましくは炭素数６〜３０の置換若しくは無置換のアリールアゾ基、炭素数３〜３０の置換若しくは無置換のヘテロ環アゾ基である。具体例としては、フェニルアゾ基、ｐ−クロロフェニルアゾ基、５−エチルチオ−１，３，４−チアジアゾール−２−イルアゾ基等が挙げられる。
【００７６】
イミド基としては、好ましくは、Ｎ−スクシンイミド基、Ｎ−フタルイミド基等が挙げられる。
【００７７】
ホスフィノ基としては、好ましくは、炭素数０〜３０の置換若しくは無置換のホスフィノ基である。具体例としては、ジメチルホスフィノ基、ジフェニルホスフィノ基、メチルフェノキシホスフィノ基等が挙げられる。
【００７８】
ホスフィニル基としては、好ましくは、炭素数０〜３０の置換若しくは無置換のホスフィニル基である。具体例としては、ホスフィニル基、ジオクチルオキシホスフィニル基、ジエトキシホスフィニル基等が挙げられる。
【００７９】
ホスフィニルオキシ基としては、好ましくは、炭素数０〜３０の置換若しくは無置換のホスフィニルオキシ基である。具体例としては、ジフェノキシホスフィニルオキシ基、ジオクチルオキシホスフィニルオキシ基等が挙げられる。
【００８０】
ホスフィニルアミノ基としては、好ましくは、炭素数０〜３０の置換若しくは無置換のホスフィニルアミノ基である。具体例としては、ジメトキシホスフィニルアミノ基、ジメチルアミノホスフィニルアミノ基が挙げられる。
【００８１】
シリル基としては、好ましくは、炭素数０〜３０の置換若しくは無置換のシリル基である。具体例としては、トリメチルシリル基、ｔ−ブチルジメチルシリル基、フェニルジメチルシリル基等が挙げられる。
【００８２】
イオン性親水性基としては、−ＳＯ3-、−ＣＯＯ-、スルホ基、カルボキシル基、チオカルボキシル基、スルフィノ基、ホスホノ基、ジヒドロキシホスフィノ基、４級アンモニウム基などが挙げられる。スルホ基、カルボキシル基、及び、ホスホノ基は塩の状態であってもよい。塩を形成する対カチオンとしては、アンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられる。
【００８３】
なお、式（１）で表される化合物（トリアリールメタン化合物（１））は、カチオンが以下のように非局在化して存在しており、下記の３つの構造式は同義であり、いずれも本発明に含まれる。また、式（１）で表される化合物は、一分子内にカチオンとアニオンとを有する分子内塩型の化合物である。
【化３】
2020158604.tif 000004
【００８４】
本発明で用いられるトリアリールメタン化合物（１）は、染料であることが好ましい。また、トリアリールメタン化合物（１）は、水に溶解する化合物であることが好ましく、２５℃の水１００ｇ中に１０ｇ以上溶解する化合物であることがより好ましく、１５ｇ以上溶解する化合物であることが更に好ましく、２０ｇ以上溶解する化合物であることが特に好ましい。
【００８５】
また、トリアリールメタン化合物（１）の分子量は色価の観点から２０００以下が好ましく、１８００以下がより好ましく、１６００以下が更に好ましい。
【００８６】
トリアリールメタン化合物（１）の具体例としては下記構造の化合物が挙げられる。以下に示す構造式中、Ｅｔはエチル基を表す。
【化４】
2020158604.tif 000005
【化５】
2020158604.tif 000006
【化６】
2020158604.tif 000007
【化７】
2020158604.tif 000008
【化８】
2020158604.tif 000009
【００８７】
トリアリールメタン化合物（１）の含有量は、着色組成物の全量に対して１〜２０質量％であることが好ましく、１〜１０質量％がより好ましい。本発明の着色組成物は、トリアリールメタン化合物（１）を１種のみ含んでいてもよく、２種以上を含んでいてもよい。トリアリールメタン化合物（１）を２種以上含む場合はそれらの合計量が上記範囲であることが好ましい。
【００８８】
＜＜他の着色剤＞＞
本発明の着色組成物は、トリアリールメタン化合物（１）以外の着色剤を更に含んでいてもよい。併用してもよい他の着色剤としては、公知の着色剤が挙げられ、例えば、染色ノート（株式会社  色染社発行の第２４版  以下同様）３３頁〜１２１頁の染料、１２４頁〜１３０頁の顔料などが挙げられる。
【００８９】
他の着色剤の含有量は、着色組成物の全量に対して２０質量％以下であることが好ましく、１０質量％以下がより好ましく、５質量％以下が更に好ましく、１質量％以下がより一層好ましい。また、他の着色剤は実質的に含有しないことも好ましい。他の着色剤を実質的に含有しない場合とは、他の着色剤の含有量が着色組成物の全量に対して０．０５質量％以下であることを意味し、０．０１質量％以下であることが好ましく、含有しないことが更に好ましい。
【００９０】
＜＜溶剤＞＞
本発明の着色組成物は、溶剤を含有することが好ましい。溶剤の種類及び含有量は、トリアリールメタン化合物（１）の種類、染色濃さ、及び染色方法によって異なる。溶剤の種類としては、水、水溶性有機溶剤が挙げられる。水溶性有機溶剤としては、ジエチレングリコール、グリセリン等の多価アルコール類、アミン類、一価アルコール類、多価アルコールのアルキルエーテル類等が挙げられる。また、特開２００２−３７１０７９号公報の段落番号００７６に記載の水混和性有機溶剤の例示として挙げられる各化合物を用いることもできる。溶剤としては、水を含むものが好ましく、溶剤全量に対して、水を５０質量％以上含むものがより好ましい。溶剤の含有量は、着色組成物の全量に対して４０質量％以上であることが好ましい。また、着色組成物の全量に対して、水を３０質量％以上含有することが好ましい。
【００９１】
＜＜他の成分＞＞
本発明の着色組成物は、用途に応じてさらに後述する他の成分を含有することができる。例えば、本発明の着色組成物は、染色用の着色組成物として好ましく用いられる。着色組成物で染色される被染物としては、布帛、紙などが挙げられ、布帛であることが好ましい。すなわち、本発明の着色組成物は、布帛染色用の着色組成物として好ましく用いられる。また、本発明の着色組成物は、インクジェット用インクとして用いることも好ましい。特に、インクジェット捺染用インクとしてより好ましく用いられる。
【００９２】
本発明の着色組成物を染色用着色組成物として用いる場合、本発明の着色組成物は、上述した成分の他、更に、他の成分を含んでいてもよい。他の成分は、被染物の染色方法に応じて適宜選択することができる。ここで、被染物の染色法は浸染法と捺染法に大別される。浸染とは、染料などの着色剤を溶剤に溶解又は分散した着色組成物に被染物を浸漬し、着色剤を被染物表面に吸着させ、着色剤を被染物内部に拡散させ、結合によって染着を行う工程である。捺染とは、着色組成物を被染物上に塗布して模様の形を与え、染料などの着色剤を被染物に染着又は固着させることによって模様のある染色物をつくる染色法である。工業的には版を用いるスクリーン捺染、ローラー捺染、転写紙を用いる転写捺染、無製版のインクジェット捺染などが挙げられる。
【００９３】
本発明の着色組成物を浸染用の着色組成物として用いる場合、本発明の着色組成物は染料液として用いることが好ましい。また、着色組成物には、上述した成分の他、更に、均捺助剤、ｐＨ調整剤、無機中性塩、分散剤などを含有することができる。均捺助剤などの添加剤としては公知のものを使用でき、例えば、染色ノート１３４頁〜１４５頁に記載の湿潤剤、浸透剤、染色ノート１４７頁〜１５４頁記載の金属イオン封止剤、染色ノート２１６頁〜２２２頁記載の分散剤、染色ノート２３０頁〜２５５頁記載の均捺剤、染色ノート２８５頁〜２８６頁記載の防染剤、染色ノート２７９頁〜２８４頁記載のマイグレーション防止剤、染色ノート３０４頁〜３２１頁記載の染料固着剤、染色堅牢度向上剤、染色ノート３２２頁〜３３４頁記載のｐＨ調整剤などが挙げられる。
【００９４】
本発明の着色組成物を、スクリーン捺染、ローラー捺染、または、転写捺染用着色組成物として用いる場合、本発明の着色組成物は、版又は転写紙を介して布帛に印捺する色糊として用いることが好ましい。色糊には、上述した成分の他、更に、糊剤、染色助剤などを含有することが好ましい。色糊は、例えば、糊を溶剤に溶解又は分散した糊溶液に染色助剤を添加し、これにトリアリールメタン化合物（１）を溶媒に溶解又は分散した染料液を添加撹拌して調製することができる。糊剤としては、着色組成物の媒体となるもので、水溶性高分子が用いられる。水溶性高分子としては、デンプン類、海藻類、天然ガム類、セルロース誘導体、アルギン酸ナトリウム、タンパク質物質、タンニン系物質、リグニン系物質等の公知の天然水溶性高分子が挙げられる。また、ポリビニルアルコール系化合物、ポリエチレンオキサイド系化合物、アクリル酸系水性高分子、スチレン系水性高分子、無水マレイン酸系水性高分子等の公知の合成高分子も糊剤として用いられる。たとえば、染色ノート３４９頁〜３６１頁記載の捺染用糊剤などが挙げられる。また、染色ノート３６７頁〜３６９頁記載の捺染糊改質剤を併用することもできる。２種類以上の糊を混合して使用してもよい。染色助剤としては、酸やアルカリなどの発色剤、染料溶解剤、湿潤剤、吸湿剤、濃染剤、還元防止剤、金属イオン封止剤、紫外線吸収剤、分散剤、防染剤、抜染剤、防腐剤、防黴剤、酸化防止剤、マイグレーション防止剤、染料固着剤、消泡剤などが挙げられる。また、染色ノート３３６頁〜３３８頁に記載の溶解剤、可溶化剤、染色ノート３３９頁〜３４５頁に記載の濃染剤、均捺剤、浸透剤、染色ノート３４６頁〜３４８頁記載の消泡剤、染色ノート１４７頁〜１５４頁記載の金属イオン封止剤、染色ノート２１６頁〜２２２頁記載の分散剤、染色ノート３７０頁〜３７４頁記載の防染剤、染色ノート３７５頁〜３８１頁記載の抜染剤、染色ノート３６２頁〜３６３頁記載の防腐剤、防黴剤、染色ノート２７９頁〜２８４頁記載のマイグレーション防止剤、染色ノート４２６頁〜４２９頁記載の染料固着剤、特開平０６−１６６９６９号公報に記載の湿潤堅牢度向上剤、米国特許第５３３６４４３号明細書に記載の光堅牢度向上剤などが挙げられる。
【００９５】
本発明の着色組成物をインクジェット用インクとして用いる場合、親油性媒体や水性媒体中にトリアリールメタン化合物（１）を溶解及び／又は分散させることによって製造ができる。好ましくは、水性媒体を用いたインクである。トリアリールメタン化合物（１）を水性媒体に分散させる場合は、特開２０１４−００５４６２号公報の段落番号０２３２〜０２３３に記載された方法で分散できる。水性媒体としては、水及び水溶性有機溶剤が挙げられる。
【００９６】
本発明の着色組成物をインクジェット用インクとして用いる場合、本発明の着色組成物は、インク適性、捺染適性、画像堅牢性を付与する目的で界面活性剤を含有することができる。界面活性剤としては、陽イオン性、陰イオン性、両性、非イオン性のいずれの界面活性剤も用いることができる。陽イオン性界面活性剤としては、例えば、脂肪族アミン塩、脂肪族４級アンモニウム塩等が挙げられる。陰イオン性界面活性剤としては、例えば、脂肪酸石鹸、Ｎ−アシル−Ｎ−メチルグリシン塩等が挙げられる。両性界面活性剤としては、例えば、カルボキシベタイン型、スルホベタイン型、アミノカルボン酸塩、イミダゾリニウムベタイン等が挙げられる。非イオン性界面活性剤としては、例えば、ポリオキシエチレンアルキルエーテル、アセチレングリコール、アセチレンアルコール等が挙げられる。特開２００２−３７１０７９号公報の段落番号００７３に記載の表面張力調整剤の例示として挙げられる界面活性剤、特開２００８−２６６４６６号公報に記載の界面活性剤が好適に用いられる。界面活性剤の含有量は、着色組成物の全量に対して０．１〜１０質量％であることが好ましく、０．１〜５質量％がより好ましく、０．１〜３質量％が更に好ましい。
【００９７】
本発明の着色組成物をインクジェット用インクとして用いる場合、本発明の着色組成物は、必要に応じてその他の添加剤を、本発明の効果を害しない範囲内において含有することができる。その他の添加剤としては、例えば、乾燥防止剤（湿潤剤）、褪色防止剤、乳化安定剤、浸透促進剤、紫外線吸収剤、赤外線吸収剤、防腐剤、防黴剤、ｐＨ調整剤、表面張力調整剤、消泡剤、粘度調整剤、分散剤、分散安定剤、防錆剤、キレート剤、還元防止剤、酸化防止剤、帯電防止剤、蛍光増白剤等の公知の添加剤が挙げられる。これらの各種添加剤は、水溶性インクの場合にはインク液に直接添加する。油溶性染料を分散物の形で用いる場合には、染料分散物の調製後分散物に添加するのが一般的であるが、調製時に油相又は水相に添加してもよい。油溶性染料を分散物の形にするときには分散剤を使用することができ、分散剤としては、例えば、染色ノート２１６頁〜２２２頁記載の分散剤が用いられる。乾燥防止剤、褪色防止剤、紫外線吸収剤、防黴剤、ｐＨ調整剤、表面張力調整剤、消泡剤、キレート剤は特開２０１４−００５４６２号公報の段落番号０２２４〜０２３１に記載のものを適用できる。また、特開平０６−１６６９６９号公報に記載の湿潤堅牢度向上剤、米国特許第５３３６４４３号明細書に記載の光堅牢度向上剤も含有することができる。浸透促進剤は、インクジェット用インクを繊維の内部により良く浸透、固着させる目的で好適に使用される。浸透促進剤としては、公知のものを使用でき、たとえば、染色ノート２２３頁〜２５５頁に記載の湿潤剤、浸透剤、均捺剤、緩捺剤、エタノール、イソプロパノール、ブタノール，ジ（トリ）エチレングリコールモノブチルエーテル、１，２−ヘキサンジオール等のアルコール類やラウリル硫酸ナトリウム、オレイン酸ナトリウム、ノニオン性界面活性剤や、国際公開第２０１０／１０９８６７号、特開平０６−０５７６４４号公報に記載の分岐多価アルコール等を用いることができる。これらは着色組成物の全量中に５〜３５質量％含有すれば通常効果があり、染色後の滲み、インクの裏漏れを起こさない添加量の範囲で使用するのが好ましい。
【００９８】
本発明の着色組成物をインクジェット用インクとして用いる場合、着色組成物の２５℃での粘度は３０ｍＰａ・ｓ以下であることが好ましい。また、着色組成物の表面張力は２５ｍＮ／ｍ以上７０ｍＮ／ｍ以下であることが好ましい。粘度及び表面張力は、種々の添加剤、例えば、粘度調整剤、表面張力調整剤、比抵抗調整剤、皮膜調整剤、紫外線吸収剤、酸化防止剤、褪色防止剤、防黴剤、防錆剤、分散剤及び界面活性剤を添加することによって、調整できる。
【００９９】
＜着色化合物の好ましい形態と染色する布帛＞
本発明の着色組成物が含有するトリアリールメタン化合物（１）は、布帛を染色することができる。トリアリールメタン化合物（１）の置換基の種類を変更することによって、様々な種類の染料を用意することができる。トリアリールメタン化合物（１）が、スルホ基又はカルボキシル基といった酸性基を少なくとも１つ含有する場合は、酸性染料として、絹や羊毛などの蛋白繊維、６ナイロン、６６ナイロンなどのポリアミド繊維を染めることができる。トリアリールメタン化合物（１）が、アミノ基などの塩基性基を少なくとも１つ含有する場合には、カチオン染料として、アクリル繊維を染めることができる。トリアリールメタン化合物（１）が、繊維と反応する基を少なくとも１つ含有する場合には、反応染料として、綿などのセルロース繊維及びポリアミド繊維を染めることができる。繊維と反応する基としては、具体的には、クロロトリアジニル基、クロロピリミジル基、ビニルスルホニル基、クロロエチルスルホニル基、スルファトエチルスルホニル基、チオスルファトエチルスルホニル基が挙げられる。
【０１００】
布帛としては、１種類の繊維からなる布帛を使用してもよいし、２種類以上の繊維からなる複合繊維を使用してもよい。
【０１０１】
トリアリールメタン化合物（１）は、酸性染料であることが好ましく、特に、ポリアミド繊維を染色したときに、顕著に、高い染着性を有し、かつ、耐光性を顕著に改善できる。被染布としての好ましいポリアミド繊維としては、ポリアミド繊維を含有していればよく、ポリアミド単独からなる布帛でもよいし、複合繊維からなる布帛でもよい。複合繊維としては、特開２００８−２０２２１０号公報、特開２００６−３２２１３１号公報、特開２００７−１００２７０号公報などに記載された繊維が挙げられる。ポリアミド繊維の中でも、６ナイロン、６６ナイロンを含む繊維であることが好ましい。使用される繊維としては、布帛が好ましいが、糸を染めても同様の効果が得られる。
【０１０２】
＜布帛を染色する方法＞
本発明の着色組成物を用いて布帛を染色する方法について説明する。布帛の染色方法は、着色組成物の種類に応じて、浸染法にて染色してもよく、捺染法にて染色してもよい。
【０１０３】
（浸染法での染色方法）
浸染法での染色方法は、布帛を着色組成物に浸漬して繊維を染着させる工程と、繊維に染着しない未固着の着色組成物を洗い流す洗浄工程と、乾燥工程とを含むことが好ましい。本発明の着色組成物を用いて浸染法で布帛を染色する場合には、着色組成物は、布帛を浸漬できる染料液として用いる。洗浄工程では、一般に、常温から１００℃の範囲の水若しくは温水を使用する。洗浄する水は、ソーピング剤を含有してもよい。未固着の着色組成物が完全に除去されていることで、種々の耐水性、例えば、洗濯堅牢性、耐汗堅牢性等において良好な結果が得られる。乾燥工程では、具体的には、洗浄した布帛を絞ったり脱水した後、干したりあるいは乾燥機、ヒートロール、アイロン等を使用して乾燥させる。このようにして着色組成物によって染色された布帛を得ることができる。染色した布帛は、必要に応じて、後述する堅牢性改良処理を行ってもよい。また、堅牢性改良処理は、染色する前に行ってもよい。
【０１０４】
（スクリーン捺染、ローラー捺染、又は転写捺染での染色方法）
スクリーン捺染、ローラー捺染、又は転写捺染での染色方法は、着色組成物を布帛に印捺する工程と、印捺した布帛に蒸気をあてる工程と、印捺した布帛を水洗する洗浄工程と、乾燥工程とを含むことが好ましい。本発明の着色組成物を用いてスクリーン捺染、ローラー捺染、又は転写捺染にて布帛を染色する場合には、本発明着色組成物は、版又は転写紙を介して布帛に印捺する色糊として用いる。
【０１０５】
これらの捺染での染色方法では、浸染での染色方法と異なり、布帛に着色組成物（色糊）を印捺した後、布帛に印捺された着色組成物を繊維に染着させる処理を行う。これを発色工程といい、加熱空気を用いる方法、常圧飽和蒸気、過熱蒸気を用いる方法があり、常圧飽和蒸気を用いる方法が好ましい。本発明では、印捺した布帛に蒸気をあてる工程を行うことが好ましい。印捺した布帛に蒸気をあてる工程において、蒸気で処理する温度、時間は、着色組成物の種類や布帛の種類によって異なるが、温度は９０℃〜１４０℃が好ましく、１００℃〜１０８℃がより好ましい。時間は１〜６０分が好ましく、１〜３０分がより好ましい。印捺した布帛に蒸気をあてる工程の後は、浸染と同様の、洗浄工程、乾燥工程を経て着色組成物によって染色された布帛を得ることができる。染色した布帛は、必要に応じて、後述する堅牢性改良処理を行ってもよい。また、堅牢性改良処理は、染色する前に行ってもよい。
【０１０６】
（インクジェット捺染での染色方法）
インクジェット捺染での染色方法は、本発明の着色組成物を用いて、インクジェット法により布帛を捺染する工程を含むことが好ましい。より好ましくは、少なくとも高分子化合物及び水を含む糊を布帛に付与する工程と、本発明の着色組成物を用いてインクジェット法により布帛に印捺する工程と、印捺した布帛に蒸気をあてる工程と、印捺した布帛を水洗する洗浄工程と、乾燥工程とを含むことが好ましい。本発明の着色組成物をインクジェット捺染で用いる場合には、本発明の着色組成物は、インクジェット用インクとして用いる。インクジェット捺染方法は従来の捺染方法と比較すると、手早く階調性に優れた画像を形成できる利点を有しており、納期短縮、少量多品種生産対応、製版工程が必要ない等のメリットを備えている。更に、形成画像として必要な量のインクのみを使用するため、従来方法に比較すると廃液が少ない等の環境的利点も有する優れた画像形成方法であるといえる。
【０１０７】
インクジェット捺染は、従来の捺染方法で使用している色糊を使用するとノズルを目詰まりさせてしまうため、予め布帛に糊を付与しておく前処理工程（少なくとも高分子化合物及び水を含む糊を布帛に付与する工程）を行うことが好ましい。前処理工程を施すことで、布帛の取り扱いも容易になる。具体的には、糊剤、溶媒及びヒドロトロピー剤を含有する糊溶液を布帛に付着し、乾燥することで前処理した布帛が得られる。布帛はポリアミド繊維を含むことが好ましい。糊剤としては、スクリーン捺染等で使用する糊剤と同様のものを使用することができる。溶剤としては、水溶性溶媒が好ましく用いられ、水を少なくとも含む溶剤が最も好ましい。ヒドロトロピー剤は、一般に、インク組成物が付与された布帛が蒸気下で加熱される際に、画像の発色濃度を高める役割を果たす。例えば、通常、尿素、アルキル尿素、エチレン尿素、プロピレン尿素、チオ尿素、グアニジン酸塩、ハロゲン価テトラアルキルアンモニウム等が使用される。また、公知のものも使用でき、染色ノート４２６頁〜４２９頁記載の染料固着剤などが挙げられる。糊溶液の全固形分に対するヒドロトロピー剤の含有量は０．０１質量％〜２０質量％であることが好ましい。糊溶液は、必要に応じて、ｐＨ調整剤、水性（水溶性）金属塩、撥水剤、界面活性剤、マイグレーション防止剤、ミクロポーラス形成剤等を更に含有していてもよい。これらの添加剤としては、公知のものを使用でき、例えば、染色ノート３３６頁〜３３８頁に記載の溶解剤、可溶化剤、染色ノート３３９頁〜３４５頁に記載の濃染剤、均捺剤、浸透剤、染色ノート１４７頁〜１５４頁記載の金属イオン封止剤、染色ノート３７０頁〜３７４頁記載の防染剤、染色ノート３７５頁〜３８１頁記載の抜染剤、染色ノート３６２頁〜３６３頁記載の防腐剤、防黴剤、染色ノート２７９頁〜２８４頁記載のマイグレーション防止剤、特開平０７−３１６９９１号公報に記載のミクロポーラス形成剤、特開平０６−１６６９６９号公報に記載の湿潤堅牢度向上剤、米国特許第５３３６４４３号明細書に記載の光堅牢度向上剤等が挙げられる。また、特開２０１３−２０９７８６号公報の段落番号００９６〜０１０１に記載のものも使用することができる。
【０１０８】
前処理においては、絞り率５％〜１５０％、好ましくは１０％〜１３０％の範囲で糊溶液をパッティングすることが好ましい。前処理において、上記各糊溶液を布帛に含有させる方法は、特に制限されないが、通常行われる浸漬法、パッド法、コーティング法、スクリーン法、スプレー法、転写法、インクジェット法等を挙げることができる。
【０１０９】
次に、前処理した布帛に、インクジェット用インクを用いて、印捺する。インクジェット法により印捺した布帛は、乾燥後、他の捺染方法と同様に、発色工程、洗浄工程、乾燥工程を経て、捺染物を得ることが好ましい。発色工程〜乾燥工程の好ましい方法は、スクリーン捺染等と同様である。このようにして着色組成物によって染色された布帛を得ることができる。
【０１１０】
インクジェット捺染で用いる布帛は、必要に応じて、予め処理されたものを使用してもよい。処理は、インクジェット捺染方法においては、糊剤を布帛に付着する前に行ってもよいし、後に行ってもよい。また、染色前に付着する糊溶液に前処理剤を添加して使用してもよい。具体的には、特開２００２−３３９２６８号公報、特開２０００−０５４２７７号公報、特開平０７−１５０４８２号公報、特開２００８−１７４８６５号公報、特開２０１２−１５４００６号公報、特開２０１２−０１２７３０号公報、特開平０２−０６８３７２号公報、特公昭６３−０３１５９４号公報、特開２００２−２７５７６９号公報、特開２００１−０８１６８０号公報、特開２００４−０６８２０８号公報、特開平１１−０４３８７３号公報、特開２００７−２１７８２９号公報、特開２００６−０８３４９５号公報、特開２００５−１５４９３６号公報、特開２００２−１０５８７５号公報、特開２００２−３４８７８６号公報、特開平１１−０８１１６３号公報、特開平０２−０６１１８３号公報、特開２００１−２９５１８６号公報、特開２００４−０６００７３号公報、特開２００３−１１３５８３号公報、特開平０８−１００３７９号公報、特開平０２−０５３９７６号公報、特開２０００−２２６７８１号公報、特開２００４−２９２９８９号公報、特開２００２−２４９９９１号公報、特開２００２−３６３８７２号公報、特開平０６−３４１０７０号公報、特開２００４−１９７２３７号公報、特開２００８−２２３１９２号公報、特開２０１１−１７９１３０号公報に記載の前処理方法などが挙げられる。
【０１１１】
染色した布帛は、必要に応じて、特開昭６２−２５７４６４号公報などに記載の難燃処理、特開平０２−０４７３７８号公報等に記載のプラズマ処理、特開昭６０−０９４６７８号公報、特開２００２−２６６２３６号公報、特開２００７−３２１２４７号公報、特開平０３−２８７８７３号公報、特開２００４−１３１９１９号公報などに記載の耐光性や耐湿潤性、耐塩素性などの堅牢性改良処理を行ってもよい。これらの処理は、染色する前に行ってもよいし、染色後に行ってもよい。
【０１１２】
インクジェット捺染での染色方法は、着色組成物（インクジェット用インク）をインクジェット装置を用いて布帛にインクを吐出する工程が含まれていれば限定しない。例えば、特開平０９−２９６３７９号公報、特開平１１−０４３８７３号公報、特開平０７−０７０９５３号公報、特開平０７−１９７３８４号公報、特開平０７−０７０９５０号公報、特開平０３−１０４９７７号公報、特開２００７−３０３０４６号公報、特開２００７−３１３７１７号公報、特開２００８−２４８４３７号公報などに記載されたインクジェット捺染方法が知られている。００８−２４８４３７などに、インクジェット捺染する方法が知られている。また、インクジェット捺染に用いられる装置としては、任意のインクジェット装置を使用できる。例えば、特開平０３−０４５７７４号公報、特開２００１−２７７６５６号公報、特開２０００−２９０８８２号公報、特開２００１−０１８３９０号公報、特開２０１０−０８３０４０号公報、特開２０１１−０３１４１８号公報などに記載された装置が知られている。
【実施例】
【０１１３】
以下に実施例を挙げて本発明をさらに具体的に説明する。以下の実施例に示す材料、使用量、割合、処理内容、処理手順等は、本発明の趣旨を逸脱しない限り、適宜、変更することができる。従って、本発明の範囲は以下に示す具体例に限定されるものではない。
【０１１４】
〔合成例〕
（ＴＡＭ−２の合成）
【化９】
2020158604.tif 000010
【０１１５】
フラスコに２，４，６−トリメチル−３−ニトロアニリンを３０．０ｇ、ジメチルアセトアミドを１２０ｍＬ、テトラフルオロベンゼンスルホン酸クロリドを４６．６ｇ加えた後、２０℃で１時間撹拌し反応液を得た。得られた反応液に水２４０ｍＬを添加した後、得られたＴＡＭ−２Ａの結晶をろ取した（６６．９ｇ）。
【０１１６】
フラスコにＴＡＭ−２Ａを４０．０ｇ、メタノールを２００ｍＬ、ヒドラジン一水和物を７．３ｇ、パラジウム炭素（１０％）を４．０ｇ加えた後、６５℃で２時間撹拌し反応液を得た。得られた反応液をセライトでろ過し、ろ液をエバポレーターで減圧濃縮した。得られた残渣を、カラムクロマトグラフィー（充填剤：シリカゲル、展液：ｎ−ヘキサン／酢酸エチル（３／１）にて精製することで、ＴＡＭ−２Ｂを得た（３５．６ｇ）。
【０１１７】
フラスコにＴＡＭ−２Ｂを３５．０ｇ、２−イソプロピルブロモアニリンを１８．３ｇ、ｔｅｒｔ−ブトキシナトリムを１７．７ｇ、トルエンを２７０ｍＬ加えて、窒素雰囲気下２０℃で１時間撹拌した。ここに、酢酸パラジウムを１０３ｍｇ、１，３−ビス（２，６−ジイソプロピルフェニル）イミダゾリニウムクロリド３９１ｍｇを加えた後、１１０℃で６時間撹拌し反応液を得た。得られた反応液を２０℃まで冷却した後、酢酸エチルを加え、中間体００１−１を酢酸エチルで抽出した。得られた酢酸エチル相をエバポレーターで減圧濃縮した。得られた残渣を、カラムクロマトグラフィー（充填剤：シリカゲル、展開液：ｎ−ヘキサン／酢酸エチル（１０／１））にて精製することで、ＴＡＭ−２Ｃを得た（３９．０ｇ）。
【０１１８】
フラスコにＴＡＭ−２Ｃを３５．０ｇ、４−ホルミルベンゼン−１、３−ジスルホン酸ナトリウム１０．９ｇ、メタンスルホン酸１８０ｍＬをフラスコにいれ１００℃で６時間撹拌し反応液を得た。得られた反応液を３．５Ｌの氷水に注ぎ、得られたＴＡＭ−２Ｄの結晶をろ取した（３６．７ｇ）。
【０１１９】
フラスコにＴＡＭ−２Ｄを３５．０ｇ、クロラニルを９．８ｇ、メタノール１７５ｍＬを混合し、５０℃で４時間撹拌し反応液を得た。２０℃に戻して、得られた反応液を１．８Ｌの氷水に注ぎ、得られたＴＡＭ−００２の結晶をろ取した。得られたウェット結晶を２００ｍＬのメタノールに溶かして、１ｍｏｌ／Ｌナトリウムメトキシド／メタノール溶液にてｐＨ６まで中和した後、カラムクロマトグラフィー（充填剤：セファデックス、展開液：メタノール）にて精製することで、ＴＡＭ−００２を２１．０ｇ得た。ＴＡＭ−２の溶液吸収スペクトル：λｍａｘ＝６１５ｎｍ（水溶液）。エレクトロスプレーイオン化（ＥＳＩ）−マススペクトル（Ｐｏｓｉ）：１２４３．２（Ｍ−Ｎａ＋２Ｈ）。
【０１２０】
（ＴＡＭ−３の合成）
【化１０】
2020158604.tif 000011
【０１２１】
２，４，６−トリメチルフェニルボロン酸を１６．４ｇ、２−ブロモアニリンを１７．２ｇ、ｔ−ブトキシカリウムを２８．０ｇ、１，４−ジオキサンを１００ｍＬ、水を１００ｍＬ、をフラスコに加えて、窒素雰囲気下で１時間撹拌した。ここに、トリス（ジベンジリデンアセトン）ジパラジウム（０）を０．９０ｇ、１，３−ビス（２，６−ジイソプロピルフェニル）イミダゾリニウムクロリド０．８５ｇを加えてた後、１００℃で１２時間撹拌した。反応液を室温まで冷却し、反応液を酢酸エチルで抽出した後、エバポレーターで減圧濃縮した。得られた残渣を、カラムクロマトグラフィー（充填剤：シリカゲル、展開液：ｎ−ヘキサン／酢酸エチル（１０／１））にて精製することで、ＴＡＭ−３Ａを１７．２ｇ得た。
【０１２２】
ＴＡＭ−２の合成において、ＴＡＭ−２ＢをＴＡＭ−３Ａへ、２−イソプロピルブロモベンゼンをＮ−（３−ブロモ−２，４，６−トリメチルフェニル）−ペンタフルオロベンゼンスルホン酸アミドへ換えて、以降同様の合成を行うことで、ＴＡＭ−３Ｄを得た。
【０１２３】
フラスコにＴＡＭ−３Ｄを３．０ｇ、硫酸を１２ｍＬに加えて、冷却しながら撹拌した。ここへ２５％発煙硫酸９．０ｍＬを内温が５℃を超えぬよう２時間かけて滴下した。滴下後３０分間、内温を５℃以下で撹拌した後、反応液を氷１２０ｇに注いで析出した結晶をろ取した。得られたウェット結晶を１２０ｍＬのメタノールに溶かして、１ｍｏｌ／Ｌナトリウムメトキシド／メタノール溶液にてｐＨ６まで中和した後、カラムクロマトグラフィー（充填剤：セファデックス、展開液：メタノール）にて精製することで、ＴＡＭ−３を１．６ｇ得た。ＴＡＭ−３の溶液吸収スペクトル：λｍａｘ＝６１６ｎｍ（水溶液）。ＥＳＩ−マススペクトル（Ｐｏｓｉ）：１５５５．２（Ｍ−３Ｎａ＋４Ｈ）。
【０１２４】
（ＴＡＭ−８の合成）
【化１１】
2020158604.tif 000012
【０１２５】
ＴＡＭ−３の合成において、Ｎ−（３−ブロモ−２，４，６−トリメチルフェニル）−ペンタフルオロベンゼンスルホン酸アミドをＮ−（３−ブロモ−２，４，６−トリメチルフェニル）−トリフルオロメタンスルホン酸アミドへ、４−ホルミルベンゼン−１、３−ジスルホン酸ナトリウムを２−ホルミルベンゼン−１−スルホン酸ナトリウムへ換えて、以降同様の合成を行うことで、ＴＡＭ−８Ｃを得た。
【０１２６】
フラスコにＴＡＭ−８Ｃを１０．０ｇ、アセトニトリルを１０ｍＬ、ジメチルホルムアミドを４．０ｍＬ加えて、窒素雰囲気下２０℃で塩化ホスホリル５．２ｇを１時間かけて滴下した後、８０℃で４時間撹拌し反応液を得た。得られた反応液を２０℃に戻して、１００ｍＬの氷水に注いで１時間撹拌した後、得られた中間体ＴＡＭ−８Ｄの結晶をろ取した（９．４ｇ）。
【０１２７】
フラスコに中間体ＴＡＭ−８Ｄを９．０ｇ、塩化メチレン２７ｍＬ、トリエチルアミンを２．０ｇ、３，３，４，４−テトラフルオロピロリジンを１．４ｇ加えた後、２０℃で１時間撹拌し反応液を得た。得られた反応液にエタノール４５ｍＬを添加した後、得られたＴＡＭ−８Ｅの結晶をろ取した（８．５ｇ）。
【０１２８】
ＴＡＭ−３の合成において、ＴＡＭ−３ＤをＴＡＭ−８Ｅへ換えて、以降同様の合成を行うことで、ＴＡＭ−８を得た。ＴＡＭ−８の溶液吸収スペクトル：λｍａｘ＝６１８ｎｍ（水溶液）。ＥＳＩ−マススペクトル（Ｐｏｓｉ）：１４０４．３（Ｍ−Ｎａ＋２Ｈ）。
【０１２９】
（ＴＡＭ−１４の合成）
【化１２】
2020158604.tif 000013
【０１３０】
ＴＡＭ−８の合成において、Ｎ−（３−ブロモ−２，４，６−トリメチルフェニル）−トリフルオロメタンスルホン酸アミドをＮ−（３−ブロモ−２，４，６−トリメチルフェニル）−ペンタフルオロエタンスルホン酸アミドへ、３，３，４，４−テトラフルオロピロリジンをトリフルオロメタンスルホンアミドへ換えて、以降同様の合成を行うことで、ＴＡＭ−１４を得た。ＴＡＭ−１４の溶液吸収スペクトル：λｍａｘ＝６１７ｎｍ（水溶液）。ＥＳＩ−マススペクトル（Ｐｏｓｉ）：１５１０．２（Ｍ−Ｎａ＋２Ｈ）。
【０１３１】
〔インクジェット捺染〕
インクジェット捺染においては、特開２０１３−２０９７８６号公報に記載の方法に準じて行った。
【０１３２】
＜前処理工程＞
布帛であるナイロン６ジャージについて、以下に示す成分を混合して前処理剤Ａを調製した。得られた前処理剤Ａを用い、布帛を絞り率９０％としてパッティングして、自然乾燥させ、処理済み布帛を得た。
【０１３３】
（前処理剤Ａ）
・糊剤：グアーガム〔日晶株式会社製、ＭＥＹＰＲＯ  ＧＵＭ  ＮＰ〕
２ｇ
・ヒドロトロピー剤：尿素〔富士フイルム和光純薬社製〕          ５ｇ
・ｐＨ調整剤：硫酸アンモニウム〔富士フイルム和光純薬社製〕    ４ｇ
・水                                                        ８９ｇ
【０１３４】
＜印捺工程＞
次いで、下記組成からなるインクジェット用インクを、３０〜４０℃で加熱しながら１時間撹拌した。得られた液を平均孔径０．５μｍのミクロフィルターで減圧濾過しインクジェット用インクを調製した。
【０１３５】
（インクジェット用インクの組成）
・表１に示す染料                                                    ５質量％
・グリセリン〔富士フイルム和光純薬社製〕（水性有機溶媒）            １０質量％
・ジエチレングリコール〔富士フイルム和光純薬社製〕（水性有機溶媒）  １０質量％
・オルフィンＥ１０１０〔日信化学社製〕（アセチレングリコール系界面活性剤）
１質量％
・水                                                              ７４質量％
【０１３６】
インクジェットプリンター（ディマティックス社製、ＤＭＰ−２３８１）に、得られた各インクジェット用インクをセットし、得られた前処理済み布帛にベタ画像を印捺した。
【０１３７】
＜後処理工程＞
印捺した布帛を乾燥した後、スチーム工程にて飽和蒸気中、１００℃で、３０分間スチームをかけ、染料を布帛の繊維に固着させた。その後、布帛を冷水で１０分、６０℃の温水で５分洗った後、自然乾燥した。染色した布帛は、色落ちすることなく、高濃度のシアンから青色に染まった染色物（染色サンプル）が得られた。
【０１３８】
〔耐光性の評価方法〕
キセノンフェードメーターを用い、ＩＳＯ  １０５−Ｂ０２に準じて作製された染色サンプルにキセノン光を６時間照射した。分光濃度測定計（Ｘｒｉｔｅ社製、「Ｘ−ｒｉｔｅ９３８」）にてキセノン光の照射前後における各サンプルのＣＩＥ  Ｌ*ａ*ｂ*表色系（国際照明委員会規格（１９７６年））における明度Ｌ*と色度ａ*及びｂ*を測定し、Ｌ*ａ*ｂ*表色系における座標値Ｌ*、ａ*、ｂ*の差であるΔＬ*、Δａ*、Δｂ*によって定義される２つの試料間の色差として△Ｅａｂを求めた。値が小さいほど、光照射前後の挙動が小さく、耐光性に優れることを示す。
ΔＥａｂ＝（（△Ｌ*）2＋（△ａ*）2＋（△ｂ*）2）0.5
【０１３９】
【表１】
2020158604.tif 000014
【０１４０】
上記表に示すように、実施例の染色物は耐光性に優れていた。
【０１４１】
別途、布帛を、ナイロン６ジャージから、ナイロン６６ジャージ、ナイロン６タフタに変更して、同様に特開２０１３−２０９７８６号公報に記載の方法に準じて、それぞれの布帛にインクジェット捺染を施したところ、水洗後も色落ちすることなく、高濃度に染まった染色物が得られ、耐光性も良好であった。また、記録媒体を布帛から、普通紙に変更し、特開２０１３−４９７７６号公報に記載の方法に準じて、インクジェット印画し、評価したところ、優れた分光特性、耐光性を示し、紙用インクとしても優れた性質を示すことがわかった。
【０１４２】
なお、実施例１−１〜１−２９の染料の欄に記載の化合物ＴＡＭ−１〜ＴＡＭ−２９は上述したトリアリールメタン化合物（１）の具体例として示した構造の化合物である。また、比較例１−１の染料の欄に記載の化合物ＡＢ９は、下記構造の化合物（Ｃ．Ｉ．Ａｃｉｄ  Ｂｌｕｅ  ９）である。
【化１３】
2020158604.tif 000015